(57)【要約】  本発明の課題は、好ましくない刺激感が少なく、清涼感もしくは冷涼感の持続性に優れた冷感剤又は感覚刺激剤として用いることができ、ｌ−メントールとは構造的に異なる炭素骨格を母核とする新規カルボン酸誘導体を含有する冷感剤組成物を提供することである。本発明は、下記一般式（１）で表されるカルボン酸誘導体を含有する冷感剤組成物に関する。    【化１】2019078185.tif 000084［式（１）中、＊印、Ｘ、Ｚ、Ａｒ２、Ｙ、ｎ、Ａｒ１はそれぞれ、明細書に記載された定義と同様である。］
2019078185.tif 000002
【特許請求の範囲】
【請求項１】
下記一般式（１）で表される２，２，６−トリメチルシクロヘキサンカルボン酸誘導体を含有する冷感剤組成物。
【化１】
2019078185.tif 000081
［式（１）中、＊印は、不斉炭素原子を表し、
Ｘは、ＮＨ、Ｎ（ＺＡｒ２）、Ｏ又はＳであり、Ｚは、単結合又は置換基を有していてもよい炭素数１〜３のアルキレン基であり、Ａｒ２は、置換基を有していてもよい炭素数６〜２０のアリール基又は置換基を有していてもよい炭素数２〜１５の芳香族複素環基であり、
Ｙは、それぞれ独立して置換基を有していてもよいメチレン基であり、
ｎは、０〜３の整数であり、
Ａｒ１は、置換基を有していてもよい炭素数６〜２０のアリール基又は置換基を有していてもよい炭素数２〜１５の芳香族複素環基である。］
【請求項２】
前記２，２，６−トリメチルシクロヘキサンカルボン酸誘導体が、前記Ｘは、ＮＨ又はＮ（ＺＡｒ２）である請求項１に記載の冷感剤組成物。
【請求項３】
前記２，２，６−トリメチルシクロヘキサンカルボン酸誘導体が、前記Ｘは、ＮＨ又はＮ（ＺＡｒ２）であり、（１Ｒ，６Ｓ）−体である請求項１に記載の冷感剤組成物。
【請求項４】
前記２，２，６−トリメチルシクロヘキサンカルボン酸誘導体が、前記Ｘは、ＮＨ又はＮ（ＺＡｒ２）であり、前記ｎは、０又は２であり、前記Ｚは、単結合又は置換基を有していてもよいエチレン基である請求項１に記載の冷感剤組成物。
【請求項５】
前記２，２，６−トリメチルシクロヘキサンカルボン酸誘導体が、前記Ｘは、ＮＨ又はＮ（ＺＡｒ２）であり、前記ｎは、０又は２であり、前記Ｚは、単結合又は置換基を有していてもよいエチレン基であり、（１Ｒ，６Ｓ）−体である請求項１に記載の冷感剤組成物。
【請求項６】
前記２，２，６−トリメチルシクロヘキサンカルボン酸誘導体が、前記Ｘは、ＮＨ又はＮ（ＺＡｒ２）であり、前記ｎは、２であり、前記Ｚは、置換基を有していてもよいエチレン基である請求項１に記載の冷感剤組成物。
【請求項７】
前記２，２，６−トリメチルシクロヘキサンカルボン酸誘導体が、前記Ｘは、ＮＨ又はＮ（ＺＡｒ２）であり、前記ｎは、２であり、前記Ｚは、置換基を有していてもよいエチレン基であり、（１Ｒ，６Ｓ）−体である請求項１に記載の冷感剤組成物。
【請求項８】
前記２，２，６−トリメチルシクロヘキサンカルボン酸誘導体以外の冷感物質を少なくとも１種更に含有する請求項１〜７のいずれか１項に記載の冷感剤組成物。
【請求項９】
前記冷感物質が、
メントール、メントン、カンファー、プレゴール、イソプレゴール、シネオール、キュベノール、酢酸メンチル、酢酸プレギル、酢酸イソプレギル、サリチル酸メンチル、サリチル酸プレギル、サリチル酸イソプレギル、３−（ｌ−メントキシ）プロパン−１，２−ジオール、２−メチル−３−（ｌ−メントキシ）プロパン−１，２−ジオール、２−（ｌ−メントキシ）エタン−１−オール、３−（ｌ−メントキシ）プロパン−１−オール、４−（ｌ−メントキシ）ブタン−１−オール、３−ヒドロキシブタン酸メンチル、グリオキシル酸メンチル、ｐ−メンタン−３，８−ジオール、１−（２−ヒドロキシ−４−メチルシクロヘキシル）エタノン、乳酸メンチル、メントングリセリンケタール、メンチル−２−ピロリドン−５−カルボキシラート、モノメンチルスクシナート、モノメンチルスクシナートのアルカリ金属塩、モノメンチルスクシナートのアルカリ土類金属塩、モノメンチルグルタラート、モノメンチルグルタラートのアルカリ金属塩、モノメンチルグルタラートのアルカリ土類金属塩、Ｎ−［［５−メチル−２−（１−メチルエチル）シクロヘキシル］カルボニル］グリシン、ｐ−メンタン−３−カルボン酸グリセロールエステル、メントールプロピレングリコールカルボナート、メントールエチレングリコールカルボナート、ｐ−メンタン−２，３−ジオール、２−イソプロピル−Ｎ，２，３−トリメチルブタンアミド、Ｎ−エチル−ｐ−メンタン−３−カルボキサミド、３−（ｐ−メンタン−３−カルボキサミド）酢酸エチル、Ｎ−（４−メトキシフェニル）−ｐ−メンタンカルボキサミド、Ｎ−エチル−２，２−ジイソプロピルブタンアミド、Ｎ−シクロプロピル−ｐ−メンタンカルボキサミド、Ｎ−（４−シアノメチルフェニル）−ｐ−メンタンカルボキサミド、Ｎ−（２−ピリジン−２−イル）−３−ｐ−メンタンカルボキサミド、Ｎ−（２−ヒドロキシエチル）−２−イソプロイル−２，３−ジメチルブタンアミド、Ｎ−（１，１−ジメチル−２−ヒドロキシエチル）−２，２−ジエチルブタンアミド、シクロプロパンカルボン酸（２−イソプロピル−５−メチルシクロヘキシル）アミド、Ｎ−エチル−２，２−ジイソプロピルブタンアミド、Ｎ−［４−（２−アミノ−２−オキソエチル）フェニル］−ｐ−メンタンカルボキサミド、２−［（２−ｐ−メントキシ）エトキシ］エタノール、２，６−ジエチル−５−イソプロピル−２−メチルテトラヒドロピラン、及びトランス−４−ｔｅｒｔ−ブチルシクロヘキサノールから選ばれる１種以上の化合物；
キシリトール、エリスリトール、デキストロース、及びソルビトールから選ばれる１種以上の糖アルコール；並びに
和種ハッカオイル、ペパーミントオイル、スペアーミントオイル、及びユーカリプタスオイルから選ばれる１種以上の天然物；
からなる群より選ばれる少なくとも１種の冷感物質である請求項８に記載の冷感剤組成物。
【請求項１０】
請求項１〜９のいずれか１項に記載の冷感剤組成物を含有する感覚刺激剤組成物。
【請求項１１】
少なくとも１種の温感物質を更に含有する請求項１０に記載の感覚刺激剤組成物。
【請求項１２】
前記温感物質が、
バニリルメチルエーテル、バニリルエチルエーテル、バニリルプロピルエーテル、バニリルイソプロピルエーテル、バニリルブチルエーテル、バニリルアミルエーテル、バニリルイソアミルエーテル、バニリルヘキシルエーテル、イソバニリルメチルエーテル、イソバニリルエチルエーテル、イソバニリルプロピルエーテル、イソバニリルイソプロピルエーテル、イソバニリルブチルエーテル、イソバニリルアミルエーテル、イソバニリルイソアミルエーテル、イソバニリルヘキシルエーテル、エチルバニリルメチルエーテル、エチルバニリルエチルエーテル、エチルバニリルプロピルエーテル、エチルバニリルイソプロピルエーテル、エチルバニリルブチルエーテル、エチルバニリルアミルエーテル、エチルバニリルイソアミルエーテル、エチルバニリルヘキシルエーテル、バニリンプロピレングリコールアセタール、イソバニリンプロピレングリコールアセタール、エチルバニリンプロピレングリコールアセタール、バニリルブチルエーテル酢酸エステル、イソバニリルブチルエーテル酢酸エステル、エチルバニリルブチルエーテル酢酸エステル、４−（ｌ−メントキシメチル）−２−（３’−メトキシ−４’−ヒドロキシフェニル）−１，３−ジオキソラン、４−（ｌ−メントキシメチル）−２−（３’−ヒドロキシ−４’−メトキシフェニル）−１，３−ジオキソラン、４−（ｌ−メントキシメチル）−２−（３’−エトキシ−４’−ヒドロキシフェニル）−１，３−ジオキソラン、カプサイシン、ジヒドロカプサイシン、ノルジヒドロカプサイシン、ホモジヒドロカプサイシン、ホモカプサイシン、ビスカプサイシン、トリスホモカプサイシン、ノルノルカプサイシン、ノルカプサイシン、カプサイシノール、バニリルカプリルアミド（オクチル酸バニリルアミド）、バニリルペリラゴンアミド（ノニル酸バニリルアミド）、バニリルカプロアミド（デシル酸バニリルアミド）、バニリルウンデカンアミド（ウンデシル酸バニリルアミド）、Ｎ−トランス−フェルロイルチラミン、Ｎ−５−（４−ヒドロキシ−３−メトキシフェニル）−２Ｅ，４Ｅ−ペンタジエノイルピペリジン、Ｎ−トランス−フェルロイルピペリジン、Ｎ−５−（４−ヒドロキシ−３−メトキシフェニル）−２Ｅ−ペンテノイルピペリジン、Ｎ−５−（４−ヒドロキシフェニル）−２Ｅ，４Ｅ−ペンタジエノイルピペリジン、ピペリン、イソピペリン、シャビシン、イソシャビシン、ピペラミン、ピペレチン、ピペロレインＢ、レトロフラクタミドＡ、ピペラシド、グイネンサイド、ピペリリン、ピペラミドＣ５：１（２Ｅ）、ピペラミドＣ７：１（６Ｅ）、ピペラミドＣ７：２（２Ｅ，６Ｅ）、ピペラミドＣ９：１（８Ｅ）、ピペラミドＣ９：２（２Ｅ，８Ｅ）、ピペラミドＣ９：３（２Ｅ，４Ｅ，８Ｅ）、ファガラミド、サンショオール−Ｉ、サンショオール−ＩＩ、ヒドロキシサンショオール、サンショウアミド、ジンゲロール、ショウガオール、ジンゲロン、メチルジンゲロール、パラドール、スピラントール、カビシン、ポリゴジアール（タデオナール）、イソポリゴジアール、ジヒドロポリゴジアール、及びタデオンから選ばれる１種以上の化合物；並びに
トウガラシ油、トウガラシオレオレジン、ジンジャーオレオレジン、ジャンブーオレオレジン（キバナオランダセンニチ抽出物）、サンショウエキス、サンショウアミド、黒胡椒エキス、白胡椒エキス、及びタデエキスから選ばれる１種以上の天然物；
からなる群より選ばれる少なくとも１種の温感物質である請求項１１に記載の感覚刺激剤組成物。
【請求項１３】
請求項１０〜１２のいずれか１項に記載の感覚刺激剤組成物を含有する香料組成物。
【請求項１４】
前記感覚刺激剤組成物を０．００００１〜９０質量％含有する請求項１３に記載の香料組成物。
【請求項１５】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって請求項１０〜１２のいずれか１項に記載の感覚刺激剤組成物を含有する製品。
【請求項１６】
前記感覚刺激剤組成物を０．００００１〜５０質量％含有する請求項１５に記載の製品。
【請求項１７】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、請求項１３又は１４に記載の香料組成物を含有する製品。
【請求項１８】
前記香料組成物を０．００００１〜５０質量％含有する請求項１７に記載の製品。
【請求項１９】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品の製造方法であって、請求項１０〜１２のいずれか１項に記載の感覚刺激剤組成物を配合する、製品の製造方法。
【請求項２０】
飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品の製造方法であって、請求項１３又は１４に記載の香料組成物を配合する、製品の製造方法。
【請求項２１】
下記一般式（１−１）で表される２，２，６−トリメチルシクロヘキサンカルボン酸誘導体。
【化２】
2019078185.tif 000082
［式（１−１）中、＊印は不斉炭素原子を表し、Ｒ、Ｒ’及びＲ’’は、それぞれ独立して水素原子、ヒドロキシ基又はメトキシ基である。］
【請求項２２】
下記構造式（１０−１）で表される２，２，６−トリメチルシクロヘキサンカルボン酸誘導体。
【化３】
2019078185.tif 000083
［式（１０−１）中、＊印は不斉炭素原子を表す。］
【発明の詳細な説明】
【技術分野】
【０００１】
本発明は、新規２，２，６−トリメチルシクロヘキサンカルボン酸誘導体を含有する冷感剤組成物に関する。更に、本発明は、当該冷感剤組成物を含有する感覚刺激剤組成物、当該感覚刺激剤組成物を含有する香料組成物、当該感覚刺激剤組成物又は当該香料組成物を含有する製品、当該製品の製造方法、及び新規２，２，６−トリメチルシクロヘキサンカルボン酸誘導体に関する。
【背景技術】
【０００２】
従来、ヒトの皮膚や口腔、鼻、喉に対して爽やかな感覚（清涼感）や冷たい感覚（冷涼感）、すなわち冷感効果を与える冷感剤は、歯磨剤、菓子（例えば、チューインガム、キャンディー等）、煙草、ハップ剤、化粧料等に使用されている。これら清涼感又は冷涼感を与える香料物質として、ｌ−メントール（エル−メントール）が現在広く使用されているが、その冷感効果は持続性に欠け、また、使用量を多くすると冷感効果が増強される反面、苦みなどの異なる刺激を伴うことがあるという欠点がある。さらに、ｌ−メントールは特有の強いハッカ臭や高い揮発性を有するという問題点もある。【０００３】
以上のようなｌ−メントールの欠点に鑑み、近年、冷感効果を有する化合物の研究として、ｌ−メントールの誘導体合成が盛んに行われている。その結果、多数のｌ−メントール代用化合物が提案され使用されている。例としては、３−置換−ｐ−メンタン（例えば、特許文献１参照）、Ｎ−置換−ｐ−メンタン−３−カルボキサミド類（例えば、特許文献２、特許文献３、特許文献４及び特許文献５参照）、ｌ−メンチルグルコシド（例えば、特許文献６参照）、３−（ｌ−メントキシ）プロパン−１，２−ジオール（例えば、特許文献７参照）、１−メンチル−３−ヒドロキシブチレート（例えば、特許文献８参照）、１−アルコキシ−３−（ｌ−メントキシ）プロパン−２−オール（例えば、特許文献９参照）、３−ヒドロキシメチル−ｐ−メンタンのエステル類（例えば、特許文献１０参照）、Ｎ−アセチルグリシンメンタンメチルエステル（例えば、特許文献１１参照）、ｌ−イソプレゴール（例えば、特許文献１２参照）、（２Ｓ）−３−｛（１Ｒ，２Ｓ，５Ｒ）−［５−メチル−２−（１−メチルエチル）シクロヘキシル］オキシ｝−１，２−プロパンジオール（例えば、特許文献１３参照）、２−ヒドロキシメチルメントール（例えば、特許文献１４参照）、メントキシアルカン−１−オール（例えば、特許文献１５）、（ｌ−メンチルオキシアルコキシ）アルカノール（例えば、特許文献１６参照）、Ｎα−（メンタンカルボニル）アミノ酸アミド（例えば、特許文献１７参照）、メンチルケトン誘導体（例えば、特許文献１８参照）、イソプレゴール誘導体（例えば、特許文献１９参照）、８，４’−オキシネオリグナン類似構造を有するメントール誘導体（例えば、特許文献２０参照）等が挙げられる。
現在、冷感剤として商業化されている化合物の多くが、これらｌ−メントールの誘導体である。【０００４】
その一方で、ｌ−メントールとは構造的に異なる冷感効果を有する化合物も開発されている。例えば、Ｎ，２，３−トリメチル−２−イソプロピルブタナミドに代表されるＮ−モノ置換−非環式カルボキサミド類（例えば、特許文献２１参照）、イシリン類縁体（例えば、特許文献２２参照）、Ｎ−フェニル−Ｎ−ピリジニルベンズアミド及びベンゼンスルホンアミド（例えば、特許文献２３参照）、アリールカルボキサミド類（例えば、特許文献２４及び特許文献２５参照）、含芳香環化合物群（例えば、特許文献２６参照）、α−ケトエナミン誘導体（例えば、特許文献２７参照）等が挙げられる。また、Ｎ，２，２，６−テトラメチルシクロヘキサンカルボキサミド（例えば、特許文献２８、非特許文献４参照）が冷感効果を有する化合物として挙げられている。
【先行技術文献】
【特許文献】
【０００５】
【特許文献１】日本国特開昭４７−１６６４７号公報
【特許文献２】日本国特開昭４７−１６６４８号公報
【特許文献３】日本国特表２００７−５３０６８９号公報
【特許文献４】日本国特表２００７−５１１５４６号公報
【特許文献５】日本国特表２０１１−５３０６０８号公報
【特許文献６】日本国特開昭４８−３３０６９号公報
【特許文献７】日本国特開昭５８−８８３３４号公報
【特許文献８】日本国特開昭６１−１９４０４９号公報
【特許文献９】日本国特開平２−２９０８２７号公報
【特許文献１０】日本国特開平５−２５５１８６号公報
【特許文献１１】日本国特開平５−２５５２１７号公報
【特許文献１２】日本国特開平６−６５０２３号公報
【特許文献１３】日本国特開平７−８２２００号公報
【特許文献１４】日本国特開平７−１１８１１９号公報
【特許文献１５】日本国特開２００１−２９４５４６号公報
【特許文献１６】日本国特開２００５−３４３９１５号公報
【特許文献１７】日本国特開２００８−１１５１８１号公報
【特許文献１８】日本国特開２０１０−５２７９４３号公報
【特許文献１９】国際公開第２０１３／０３３５０１号
【特許文献２０】日本国特開２０１４−２２７３９０号公報
【特許文献２１】米国特許第４２３０６８８号明細書
【特許文献２２】日本国特開２００６−５１２２９４号公報
【特許文献２３】国際公開第２００７／０４８２６５号
【特許文献２４】日本国特表２００８−５３０８０６号公報
【特許文献２５】日本国特表２０１４−５０３４８６号公報
【特許文献２６】日本国特表２０１３−５１１２７０号公報
【特許文献２７】米国特許第６５９２８８４号明細書
【特許文献２８】米国特許第７４８２３７８号明細書
【特許文献２９】日本国特開平５−１１２４９４号公報
【特許文献３０】日本国特開２００１−３４８３５３号公報
【特許文献３１】日本国特開２００２−５３５２０号公報
【非特許文献】
【０００６】
【非特許文献１】周知・慣用技術集（香料）第Ｉ部、平成１１年１月２９日、日本国特許庁発行
【非特許文献２】Adv.Synth.Catal.(2008),Vol.350,Issue 5,652-656
【非特許文献３】J.Neurobiol.(2004),Vol.61,3-12
【非特許文献４】J.Agric.Food Chem.(2017),DOI:10.1021/acs.jafc.6b04838
【非特許文献５】Angew.Chem.Int.Ed.(1978),Vol.17,522-524
【発明の概要】
【発明が解決しようとする課題】
【０００７】
しかしながら、上記で挙げた従来の冷感効果を有する化合物は、それなりの冷感効果を有するが、冷感効果の持続性等の点で未だ十分満足できるものではない。また、感覚刺激効果についてもさらに改善することが必要とされる。さらに、「ＷＳシリーズ」として商業的に知られているＮ−置換−ｐ−メンタン−カルボキサミド類（例えば、特許文献２参照）をはじめとする市販の主な冷感剤はｌ−メントールの誘導体であるため、合成工程が多段階に及び煩雑である。従って、工業規模で製造するのに費用が掛かり、これら化合物の多くが比較的高価な成分となっている。【０００８】
従って、本発明の目的は、好ましくない刺激感が少なく、清涼感もしくは冷涼感の持続性に優れた冷感剤又は感覚刺激剤として用いることができ、ｌ−メントールとは構造的に異なる炭素骨格を母核とする新規化合物であり、安価な原料から非常に簡便かつ低コストで合成可能な新規２，２，６−トリメチルシクロヘキサンカルボン酸誘導体を含有する冷感剤組成物を提供することである。【０００９】
また、本発明は、当該冷感剤組成物を含有する感覚刺激剤組成物を提供することも目的とする。
さらに、本発明は、当該感覚刺激剤組成物を含有する香料組成物、当該感覚刺激剤組成物又は当該香料組成物を含有する製品、当該製品の製造方法、及び新規２，２，６−トリメチルシクロヘキサンカルボン酸誘導体を提供することも目的とする。
【課題を解決するための手段】
【００１０】
本発明者らは上記課題を解決するために鋭意検討した結果、下記一般式（１）で表される新規２，２，６−トリメチルシクロヘキサンカルボン酸誘導体を用いることで上記課題を解決できることを見出し、本発明を完成するに至った。【００１１】
すなわち、本発明は以下の［１］〜［２２］に関するものである。
［１］下記一般式（１）で表される２，２，６−トリメチルシクロヘキサンカルボン酸誘導体を含有する冷感剤組成物。【００１２】
【化１】
2019078185.tif 000003
【００１３】
［式（１）中、＊印は、不斉炭素原子を表し、
Ｘは、ＮＨ、Ｎ（ＺＡｒ２）、Ｏ又はＳであり、Ｚは、単結合又は置換基を有していてもよい炭素数１〜３のアルキレン基であり、Ａｒ２は、置換基を有していてもよい炭素数６〜２０のアリール基又は置換基を有していてもよい炭素数２〜１５の芳香族複素環基であり、
Ｙは、それぞれ独立して置換基を有していてもよいメチレン基であり、
ｎは、０〜３の整数であり、
Ａｒ１は、置換基を有していてもよい炭素数６〜２０のアリール基又は置換基を有していてもよい炭素数２〜１５の芳香族複素環基である。］
［２］前記２，２，６−トリメチルシクロヘキサンカルボン酸誘導体が、前記Ｘは、ＮＨ又はＮ（ＺＡｒ２）である［１］に記載の冷感剤組成物。
［３］前記２，２，６−トリメチルシクロヘキサンカルボン酸誘導体が、前記Ｘは、ＮＨ又はＮ（ＺＡｒ２）であり、（１Ｒ，６Ｓ）−体である［１］に記載の冷感剤組成物。
［４］前記２，２，６−トリメチルシクロヘキサンカルボン酸誘導体が、前記Ｘは、ＮＨ又はＮ（ＺＡｒ２）であり、前記ｎは、０又は２であり、前記Ｚは、単結合又は置換基を有していてもよいエチレン基である［１］に記載の冷感剤組成物。
［５］前記２，２，６−トリメチルシクロヘキサンカルボン酸誘導体が、前記Ｘは、ＮＨ又はＮ（ＺＡｒ２）であり、前記ｎは、０又は２であり、前記Ｚは、単結合又は置換基を有していてもよいエチレン基であり、（１Ｒ，６Ｓ）−体である［１］に記載の冷感剤組成物。
［６］前記２，２，６−トリメチルシクロヘキサンカルボン酸誘導体が、前記Ｘは、ＮＨ又はＮ（ＺＡｒ２）であり、前記ｎは、２であり、前記Ｚは、置換基を有していてもよいエチレン基である［１］に記載の冷感剤組成物。
［７］前記２，２，６−トリメチルシクロヘキサンカルボン酸誘導体が、前記Ｘは、ＮＨ又はＮ（ＺＡｒ２）であり、前記ｎは、２であり、前記Ｚは、置換基を有していてもよいエチレン基であり、（１Ｒ，６Ｓ）−体である［１］に記載の冷感剤組成物。
［８］前記２，２，６−トリメチルシクロヘキサンカルボン酸誘導体以外の冷感物質を少なくとも１種更に含有する［１］〜［７］のいずれか１つに記載の冷感剤組成物。
［９］前記冷感物質が、
メントール、メントン、カンファー、プレゴール、イソプレゴール、シネオール、キュベノール、酢酸メンチル、酢酸プレギル、酢酸イソプレギル、サリチル酸メンチル、サリチル酸プレギル、サリチル酸イソプレギル、３−（ｌ−メントキシ）プロパン−１，２−ジオール、２−メチル−３−（ｌ−メントキシ）プロパン−１，２−ジオール、２−（ｌ−メントキシ）エタン−１−オール、３−（ｌ−メントキシ）プロパン−１−オール、４−（ｌ−メントキシ）ブタン−１−オール、３−ヒドロキシブタン酸メンチル、グリオキシル酸メンチル、ｐ−メンタン−３，８−ジオール、１−（２−ヒドロキシ−４−メチルシクロヘキシル）エタノン、乳酸メンチル、メントングリセリンケタール、メンチル−２−ピロリドン−５−カルボキシラート、モノメンチルスクシナート、モノメンチルスクシナートのアルカリ金属塩、モノメンチルスクシナートのアルカリ土類金属塩、モノメンチルグルタラート、モノメンチルグルタラートのアルカリ金属塩、モノメンチルグルタラートのアルカリ土類金属塩、Ｎ−［［５−メチル−２−（１−メチルエチル）シクロヘキシル］カルボニル］グリシン、ｐ−メンタン−３−カルボン酸グリセロールエステル、メントールプロピレングリコールカルボナート、メントールエチレングリコールカルボナート、ｐ−メンタン−２，３−ジオール、２−イソプロピル−Ｎ，２，３−トリメチルブタンアミド、Ｎ−エチル−ｐ−メンタン−３−カルボキサミド、３−（ｐ−メンタン−３−カルボキサミド）酢酸エチル、Ｎ−（４−メトキシフェニル）−ｐ−メンタンカルボキサミド、Ｎ−エチル−２，２−ジイソプロピルブタンアミド、Ｎ−シクロプロピル−ｐ−メンタンカルボキサミド、Ｎ−（４−シアノメチルフェニル）−ｐ−メンタンカルボキサミド、Ｎ−（２−ピリジン−２−イル）−３−ｐ−メンタンカルボキサミド、Ｎ−（２−ヒドロキシエチル）−２−イソプロイル−２，３−ジメチルブタンアミド、Ｎ−（１，１−ジメチル−２−ヒドロキシエチル）−２，２−ジエチルブタンアミド、シクロプロパンカルボン酸（２−イソプロピル−５−メチルシクロヘキシル）アミド、Ｎ−エチル−２，２−ジイソプロピルブタンアミド、Ｎ−［４−（２−アミノ−２−オキソエチル）フェニル］−ｐ−メンタンカルボキサミド、２−［（２−ｐ−メントキシ）エトキシ］エタノール、２，６−ジエチル−５−イソプロピル−２−メチルテトラヒドロピラン、及びトランス−４−ｔｅｒｔ−ブチルシクロヘキサノールから選ばれる１種以上の化合物；
キシリトール、エリスリトール、デキストロース、及びソルビトールから選ばれる１種以上の糖アルコール；並びに
和種ハッカオイル、ペパーミントオイル、スペアーミントオイル、及びユーカリプタスオイルから選ばれる１種以上の天然物；
からなる群より選ばれる少なくとも１種の冷感物質である［８］に記載の冷感剤組成物。
［１０］［１］〜［９］のいずれか１つに記載の冷感剤組成物を含有する感覚刺激剤組成物。
［１１］少なくとも１種の温感物質を更に含有する［１０］に記載の感覚刺激剤組成物。
［１２］前記温感物質が、
バニリルメチルエーテル、バニリルエチルエーテル、バニリルプロピルエーテル、バニリルイソプロピルエーテル、バニリルブチルエーテル、バニリルアミルエーテル、バニリルイソアミルエーテル、バニリルヘキシルエーテル、イソバニリルメチルエーテル、イソバニリルエチルエーテル、イソバニリルプロピルエーテル、イソバニリルイソプロピルエーテル、イソバニリルブチルエーテル、イソバニリルアミルエーテル、イソバニリルイソアミルエーテル、イソバニリルヘキシルエーテル、エチルバニリルメチルエーテル、エチルバニリルエチルエーテル、エチルバニリルプロピルエーテル、エチルバニリルイソプロピルエーテル、エチルバニリルブチルエーテル、エチルバニリルアミルエーテル、エチルバニリルイソアミルエーテル、エチルバニリルヘキシルエーテル、バニリンプロピレングリコールアセタール、イソバニリンプロピレングリコールアセタール、エチルバニリンプロピレングリコールアセタール、バニリルブチルエーテル酢酸エステル、イソバニリルブチルエーテル酢酸エステル、エチルバニリルブチルエーテル酢酸エステル、４−（ｌ−メントキシメチル）−２−（３’−メトキシ−４’−ヒドロキシフェニル）−１，３−ジオキソラン、４−（ｌ−メントキシメチル）−２−（３’−ヒドロキシ−４’−メトキシフェニル）−１，３−ジオキソラン、４−（ｌ−メントキシメチル）−２−（３’−エトキシ−４’−ヒドロキシフェニル）−１，３−ジオキソラン、カプサイシン、ジヒドロカプサイシン、ノルジヒドロカプサイシン、ホモジヒドロカプサイシン、ホモカプサイシン、ビスカプサイシン、トリスホモカプサイシン、ノルノルカプサイシン、ノルカプサイシン、カプサイシノール、バニリルカプリルアミド（オクチル酸バニリルアミド）、バニリルペリラゴンアミド（ノニル酸バニリルアミド）、バニリルカプロアミド（デシル酸バニリルアミド）、バニリルウンデカンアミド（ウンデシル酸バニリルアミド）、Ｎ−トランス−フェルロイルチラミン、Ｎ−５−（４−ヒドロキシ−３−メトキシフェニル）−２Ｅ，４Ｅ−ペンタジエノイルピペリジン、Ｎ−トランス−フェルロイルピペリジン、Ｎ−５−（４−ヒドロキシ−３−メトキシフェニル）−２Ｅ−ペンテノイルピペリジン、Ｎ−５−（４−ヒドロキシフェニル）−２Ｅ，４Ｅ−ペンタジエノイルピペリジン、ピペリン、イソピペリン、シャビシン、イソシャビシン、ピペラミン、ピペレチン、ピペロレインＢ、レトロフラクタミドＡ、ピペラシド、グイネンサイド、ピペリリン、ピペラミドＣ５：１（２Ｅ）、ピペラミドＣ７：１（６Ｅ）、ピペラミドＣ７：２（２Ｅ，６Ｅ）、ピペラミドＣ９：１（８Ｅ）、ピペラミドＣ９：２（２Ｅ，８Ｅ）、ピペラミドＣ９：３（２Ｅ，４Ｅ，８Ｅ）、ファガラミド、サンショオール−Ｉ、サンショオール−ＩＩ、ヒドロキシサンショオール、サンショウアミド、ジンゲロール、ショウガオール、ジンゲロン、メチルジンゲロール、パラドール、スピラントール、カビシン、ポリゴジアール（タデオナール）、イソポリゴジアール、ジヒドロポリゴジアール、及びタデオンから選ばれる１種以上の化合物；並びに
トウガラシ油、トウガラシオレオレジン、ジンジャーオレオレジン、ジャンブーオレオレジン（キバナオランダセンニチ抽出物）、サンショウエキス、サンショウアミド、黒胡椒エキス、白胡椒エキス、及びタデエキスから選ばれる１種以上の天然物；
からなる群より選ばれる少なくとも１種の温感物質である［１１］に記載の感覚刺激剤組成物。
［１３］［１０］〜［１２］のいずれか１つに記載の感覚刺激剤組成物を含有する香料組成物。
［１４］前記感覚刺激剤組成物を０．００００１〜９０質量％含有する［１３］に記載の香料組成物。
［１５］飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって［１０］〜［１２］のいずれか１つに記載の感覚刺激剤組成物を含有する製品。
［１６］前記感覚刺激剤組成物を０．００００１〜５０質量％含有する［１５］に記載の製品。
［１７］飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品であって、［１３］又は［１４］に記載の香料組成物を含有する製品。
［１８］前記香料組成物を０．００００１〜５０質量％含有する［１７］に記載の製品。
［１９］飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品の製造方法であって、［１０］〜［１２］のいずれか１つに記載の感覚刺激剤組成物を配合する、製品の製造方法。
［２０］飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品からなる群より選ばれるいずれかの製品の製造方法であって、［１３］又は［１４］に記載の香料組成物を配合する、製品の製造方法。
［２１］下記一般式（１−１）で表される２，２，６−トリメチルシクロヘキサンカルボン酸誘導体。【００１４】
【化２】
2019078185.tif 000004
【００１５】
［式（１−１）中、＊印は不斉炭素原子を表し、Ｒ、Ｒ’及びＲ’’は、それぞれ独立して水素原子、ヒドロキシ基又はメトキシ基である。］
［２２］下記構造式（１０−１）で表される２，２，６−トリメチルシクロヘキサンカルボン酸誘導体。【００１６】
【化３】
2019078185.tif 000005
【００１７】
［式（１０−１）中、＊印は不斉炭素原子を表す。］
【発明の効果】
【００１８】
本発明によれば、好ましくない刺激感が少なく、清涼感もしくは冷涼感の持続性に優れた冷感剤又は感覚刺激剤として用いることができ、ｌ−メントールとは構造的に異なる炭素骨格を母核とする新規２，２，６−トリメチルシクロヘキサンカルボン酸誘導体を含有する冷感剤組成物を提供することができる。本発明の冷感剤組成物を各種の製品に配合することにより、これらの製品に持続性に優れた清涼感もしくは冷涼感を付与することができる。【００１９】
また、現在商業化されている冷感効果を有する化合物の大半がｌ−メントールの誘導体であり、その合成工程の煩雑さ等から比較的高価な成分となっている。しかしながら、当該２，２，６−トリメチルシクロヘキサンカルボン酸誘導体はｌ−メントールとは構造的に異なる炭素骨格を母核とする新規化合物であり、安価なシトロネラールを原料として、非常に簡便かつ低コストで合成することが可能である。【００２０】
また、本発明の冷感剤組成物を含む感覚刺激剤組成物が配合された香料組成物においては、香料組成物の香り立ち、残香性が高められ、当該香料組成物を賦香してなる製品にも高い香質改善効果が付与される。【００２１】
さらに、当該２，２，６−トリメチルシクロヘキサンカルボン酸誘導体は、人体に対して好ましくない皮膚刺激感をほとんど生じないという優れた特性を発揮する。
【発明を実施するための形態】
【００２２】
以下、本発明を詳細に説明するが、本発明は以下の実施形態に限定されるものではなく、本発明の要旨を逸脱しない範囲において、任意に変形して実施することができる。また、本明細書において、「式（Ｘ）で表される化合物」を単に「化合物（Ｘ）」と称することがある。
【００２３】
本明細書において、“重量％”と“質量％”とは同義である。また、数値範囲を示す「〜」とは、その前後に記載された数値を下限値及び上限値として含む意味で使用される。
【００２４】
［冷感剤組成物］
（一般式（１）で表される２，２，６−トリメチルシクロヘキサンカルボン酸誘導体）
本発明にかかる冷感剤組成物は、下記一般式（１）で表される新規２，２，６−トリメチルシクロヘキサンカルボン酸誘導体を冷感物質として含有することを特徴とする。
【００２５】
【化４】
2019078185.tif 000006
【００２６】
式（１）中、＊印は、不斉炭素原子を表し、Ｘは、ＮＨ、Ｎ（ＺＡｒ２）、Ｏ又はＳであり、Ｚは、単結合又は置換基を有していてもよい炭素数１〜３のアルキレン基であり、Ａｒ２は、置換基を有していてもよい炭素数６〜２０のアリール基又は置換基を有していてもよい炭素数２〜１５の芳香族複素環基であり、Ｙは、それぞれ独立して置換基を有していてもよいメチレン基であり、ｎは、０〜３の整数であり、Ａｒ１は、置換基を有していてもよい炭素数６〜２０のアリール基又は置換基を有していてもよい炭素数２〜１５の芳香族複素環基である。
【００２７】
一般式（１）で表される２，２，６−トリメチルシクロヘキサンカルボン酸誘導体は、シクロヘキサン環構造を有し、次式に示すように１位と６位に不斉炭素を有している。
【００２８】
【化５】
2019078185.tif 000007
【００２９】
上記式中、＊印、ｎ、Ｘ、Ｙ及びＡｒ１は前記と同義である。
【００３０】
具体的には、一般式（１）で表される２，２，６−トリメチルシクロヘキサンカルボン酸誘導体として、次の式（１−ａ）〜式（１−ｄ）に示される４種のジアステレオマーが存在する。
【００３１】
【化６】
2019078185.tif 000008
【００３２】
式（１−ａ）〜式（１−ｄ）中、ｎ、Ｘ、Ｙ及びＡｒ１は前記と同義である。
【００３３】
一般式（１）で表される２，２，６−トリメチルシクロヘキサンカルボン酸誘導体は、好ましくはトランス体、特に好ましくは（１Ｒ，６Ｓ）−体（１−ａ）である。
【００３４】
一般式（１）で表される２，２，６−トリメチルシクロヘキサンカルボン酸誘導体の官能基について、以下に説明する。
【００３５】
Ｘは、ＮＨ、Ｎ（ＺＡｒ２）、Ｏ又はＳである。
これらの中でもＸは、冷感強度の観点から、ＮＨ又はＮ（ＺＡｒ２）であることが好ましい。
【００３６】
Ｚは、単結合又は置換基を有していてもよい炭素数１〜３のアルキレン基である。
置換基を有していてもよい炭素数１〜３のアルキレン基としては、例えば、メチレン基、エチレン基、プロピレン基が挙げられる。
これらの中でもＺは、冷感強度の観点から、単結合又は置換基を有していてもよいエチレン基であることが好ましく、置換基を有していてもよいエチレン基であることがより好ましい。
【００３７】
Ｙは、それぞれ独立して置換基を有していてもよいメチレン基であり、ｎは、０〜３の整数である。
これらの中でもｎは、冷感強度の観点から、０又は２であることが好ましく、２であることがより好ましい。
【００３８】
Ａｒ１及びＡｒ２は、それぞれ独立して、置換基を有していてもよい炭素数６〜２０のアリール基又は置換基を有していてもよい炭素数２〜１５の芳香族複素環基である。
置換基を有していてもよい炭素数６〜２０のアリール基としては、例えば、炭素数６〜２０の芳香族単環式基、芳香族多環式基、又は芳香族縮合環式基が挙げられる。具体的には、フェニル基、ナフチル基、アントリル基、フェナントリル基、インデニル基等が挙げられ、好ましい具体例としてはフェニル基が挙げられる。
【００３９】
置換基を有していてもよい炭素数２〜１５の芳香族複素環基としては、例えば、炭素数２〜１５で、異種元素を少なくとも１個、好ましくは１〜３個含んでいる５〜８員環、好ましくは５員又は６員の、単環、多環又は縮合環式等の芳香族複素環（ヘテロアリール）基が挙げられる。異種原子としては、例えば、窒素原子、酸素原子、硫黄原子等のヘテロ元素が挙げられる。
【００４０】
置換基を有していてもよい炭素数２〜１５の芳香族複素環基の具体例としては、例えば、フリル基、チエニル基、ピリジル基、ピリニジル基、ピラジニル基、ピラダジニル基、テトラジニル基、イミダゾイル基、オキサゾイル基、チアゾイル基、ベンゾフリル基、ベンゾチエニル基、キノリル基、イソキノリル基、キノキサノイル基、フタラジニル基、キナゾリニル基、ナフチルジニル基、シンノリニル基、ベンゾイミダゾリン基、ベンゾオキサゾリル基、ベンゾチアゾリル基、インドリル基等が挙げられ、好ましい具体例としてはチエニル基が挙げられる。
【００４１】
上述の炭素数１〜３のアルキレン基、炭素数６〜２０のアリール基及び炭素数２〜１５の芳香族複素環基が有していてもよい置換基としては、例えば、メチル基、エチル基、ｎ−プロピル基、イソプロピル基、ｎ−ブチル基、イソブチル基、ｓｅｃ−ブチル基、ｔｅｒｔ−ブチル基、ペンチル基及びヘキシル基等の炭素数１〜６のアルキル基；シクロペンチル基、シクロヘキシル基及びシクロヘプチル基等の炭素数５〜８のシクロアルキル基；ヒドロキシ基；ヒドロキシメチル基、ヒドロキシエチル基、２−ヒドロキシエチル基、１−ヒドロキシプロピル基、２−ヒドロキシプロピル基及び１−ヒドロキシブチル基等の炭素数１〜４のヒドロキシアルキル基；メトキシ基、エトキシ基、ｎ−プロポキシ基、イソプロポキシ基、ｎ−ブトキシ基、イソブトキシ基、ｓｅｃ−ブトキシ基、メチレンジオキシ基及びｔｅｒｔ−ブトキシ基等の炭素数１〜４のアルコキシ基；メルカプト基；チオメトキシ基、チオエトキシ基、ｎ−チオプロポキシ基、チオイソプロポキシ基、ｎ−チオブトキシ基、チオイソブトキシ基、ｓｅｃ−チオブトキシ基、メチレンジチオ基及びｔｅｒｔ−チオブトキシ基等の炭素数１〜４のチオアルコキシ基；フッ素原子、塩素原子、臭素原子及びヨウ素原子等のハロゲン原子；ベンジル基、フェニルエチル基及びナフチルメチル基等の炭素数７〜１２のアラルキル基；カルボニル基；メトキシカルボニル基、エトキシカルボニル基、ベンジルオキシカルボニル基等の炭素数２〜８のアルコキシカルボニル基；カルボキサミド基；ジメチルアミノ基、ジエチルアミノ基及びジブチルアミノ基等の炭素数２〜８のジアルキルアミノ基；ニトリル基；シアノメチル基、シアノエチル基、シアノプロピル基及びシアノブチル基等のシアノアルキル（当該アルキル基の炭素数１〜４）基；オキシラニル基、アジリジニル基、２−オキソピロピジル基、ピペリジル基、ピペラジニル基、モルホリノ基、テトラヒドロフリル基、テトラヒドロピラニル基及びテトラヒドロチエニル基等の脂肪族複素環基；テトラジニル基、フリル基、チエニル基、ピリジル基、ピリジニル基、ピラジニル基、ピラダジニル基、イミダゾイル基、オキサゾイル基、チアゾイル基、ベンゾフリル基、ベンゾチエニル基、キノリル基、イソキノリル基、キノキサノイル基、フタラジニル基、キナゾリニル基、ナフチルジニル基、シンノリニル基、ベンゾイミダゾリン基、ベンゾオキサゾリル基及びベンゾチアゾリル基等の芳香族複素環基等を挙げることができる。
【００４２】
（一般式（１）で表される２，２，６−トリメチルシクロヘキサンカルボン酸誘導体の合成方法）
一般式（１）で表される２，２，６−トリメチルシクロヘキサンカルボン酸誘導体は、例えば、以下のスキーム１〜スキーム６で表される方法により合成される。しかし、当該カルボン酸誘導体の合成方法は以下のスキーム１〜スキーム６の方法に限定されるものではない。
【００４３】
一般式（１）で表される２，２，６−トリメチルシクロヘキサンカルボン酸誘導体の基本骨格である下記式（５）で表される２，２，６−トリメチルシクロヘキサンカルボン酸（以下、「カルボン酸化合物（５）」と称することがある。）は、例えば、以下のスキーム１で示される方法に従って、シトロネラール、７−メトキシシトロネラール又は７−ヒドロキシシトロネラールより合成される。
【００４４】
【化７】
2019078185.tif 000009
【００４５】
スキーム１の式中、実線と点線の二重線は二重結合又は単結合であり、実線と点線の二重線が単結合の場合は、Ｚ１は、ヒドロキシ基又はメトキシ基である。また、Ａｃは、アセチル基であり、＊印は、前記と同義である。
【００４６】
工程［Ａ］、工程［Ｂ］及び工程［Ｃ］は、特許文献２９に記載の手法によって行うことができる。即ち、工程［Ａ］はエノールアセチル化反応により行うことができ、工程［Ｂ］は酸触媒による環化反応により行うことができ、工程［Ｃ］は酸化反応により行うことができる。
【００４７】
また、工程［Ｄ］、工程［Ｅ］、工程［Ｆ］及び工程［Ｇ］は、特許文献３０に記載の手法によって行うことができる。即ち、工程［Ｄ］はグリニャール反応により行うことができ、工程［Ｅ］は酸化反応により行うことができ、工程［Ｆ］はエノールアセチル化反応により行うことができ、工程［Ｇ］は酸触媒による環化反応により行うことができる。
【００４８】
また、工程［Ｈ］は、特許文献３１に記載の手法によって合成することができる。即ち、工程［Ｈ］は硝酸酸化により行うことができる。
【００４９】
一般式（１）で表される２，２，６−トリメチルシクロヘキサンカルボン酸誘導体のうち、Ｘ＝ＮＨである一般式（１０）で示される２級アミド化合物（以下、「２級アミド化合物（１０）」と称することがある。）は、例えば、以下のスキーム２で示される方法に従って、カルボン酸化合物（５）より合成される。
【００５０】
【化８】
2019078185.tif 000010
【００５１】
スキーム２の式中、＊印、ｎ、Ｙ及びＡｒ１は前記と同義である。
工程［Ｉ］は、特許文献２又は特許文献１９に記載の手法と同様な手法によって行うことができる。
【００５２】
あるいは、２級アミド化合物（１０）は、例えば、以下のスキーム３で示される方法に従って、カルボン酸化合物（５）より合成することも可能である。
【００５３】
【化９】
2019078185.tif 000011
【００５４】
スキーム３の式中、＊印、ｎ、Ｙ及びＡｒ１は前記と同義である。
工程［Ｊ］は、カルボン酸化合物（５）をメシル化して活性アシル中間体へと変換した後、アミンと反応させることで行うことができる。
【００５５】
さらに、一般式（１）で表される２，２，６−トリメチルシクロヘキサンカルボン酸誘導体のうち、Ｘ＝Ｎ（ＺＡｒ２）である一般式（１１）で示される３級アミド化合物（以下、「３級アミド化合物（１１）」と称することがある。）は、例えば、以下のスキーム４の工程［Ｋ］の手法に従って、一般式（１２）で示される２級アミンを調製したのち、スキーム２に記載の工程［Ｉ］又はスキーム３に記載の工程［Ｊ］と同様の手法にてカルボン酸化合物（５）と反応させることで合成することができる。
【００５６】
【化１０】
2019078185.tif 000012
【００５７】
スキーム４の式中、Ｘ’は、塩素原子、臭素原子又はヨウ素原子を表し、＊印、ｎ、Ｙ、Ｚ、Ａｒ１及びＡｒ２は前記と同義である。
工程［Ｋ］は、非特許文献２に記載の手法と同様な手法によって行うことができる。工程［Ｉ］及び工程［Ｊ］は、前記の手法によって行うことができる。
【００５８】
一般式（１）で表される２，２，６−トリメチルシクロヘキサンカルボン酸誘導体のうち、Ｘ＝Ｏである一般式（１３）で示されるカルボン酸エステル化合物（以下、「エステル化合物（１３）」と称することがある。）は、例えば、以下のスキーム５で示される方法に従って、カルボン酸化合物（５）より合成される。
【００５９】
【化１１】
2019078185.tif 000013
【００６０】
スキーム５の式中、＊印、ｎ、Ｙ及びＡｒ１は前記と同義である。
工程［Ｌ］は、特許文献２９に記載の手法と同様な手法によって行うことができる。
【００６１】
一般式（１）で表される２，２，６−トリメチルシクロヘキサンカルボン酸誘導体のうち、Ｘ＝Ｓである一般式（１４）で示されるカルボン酸チオエステル化合物（以下、「チオエステル化合物（１４）」と称することがある。）は、例えば、以下のスキーム６で示される方法に従って、カルボン酸化合物（５）より合成される。
【００６２】
【化１２】
2019078185.tif 000014
【００６３】
スキーム６の式中、＊印、ｎ、Ｙ及びＡｒ１は前記と同義である。
工程［Ｍ］は、非特許文献５に記載の手法と同様な手法によって行うことができる。即ち、工程［Ｍ］は、縮合反応により行うことができる。
【００６４】
一般式（１）で表される２，２，６−トリメチルシクロヘキサンカルボン酸誘導体の好ましい具体例としては、２級アミド化合物（１０）、３級アミド化合物（１１）、エステル化合物（１３）及びチオエステル化合物（１４）が挙げられるが、これらに限定されるものではない。
また、２級アミド化合物（１０）の好ましい具体例としては、以下の化合物が挙げられるが、これらに限定されるものではない。
以下の化合物中、Ｍｅはメチル基を、＊印は不斉炭素を表す。
【００６５】
【化１３】
2019078185.tif 000015
【００６６】
【化１４】
2019078185.tif 000016
【００６７】
【化１５】
2019078185.tif 000017
【００６８】
【化１６】
2019078185.tif 000018
【００６９】
【化１７】
2019078185.tif 000019
【００７０】
３級アミド化合物（１１）の好ましい具体例としては、以下の化合物が挙げられるが、これらに限定されるものではない。
以下の化合物中、Ｍｅはメチル基を、＊印は不斉炭素を表す。
【００７１】
【化１８】
2019078185.tif 000020
【００７２】
エステル化合物（１３）の好ましい具体例としては、以下の化合物が挙げられるが、これらに限定されるものではない。
以下の化合物中、Ｍｅはメチル基を、＊印は不斉炭素を表す。
【００７３】
【化１９】
2019078185.tif 000021
【００７４】
チオエステル化合物（１４）の好ましい具体例としては、以下の化合物が挙げられるが、これらに限定されるものではない。
以下の化合物中、Ｍｅはメチル基を、＊印は不斉炭素を表す。
【００７５】
【化２０】
2019078185.tif 000022
【００７６】
また、一般式（１）で表される２，２，６−トリメチルシクロヘキサンカルボン酸誘導体は、冷感強度の観点から、下記一般式（１−１）で表される２，２，６−トリメチルシクロヘキサンカルボン酸誘導体であることが好ましい。
【００７７】
【化２１】
2019078185.tif 000023
【００７８】
式（１−１）中、＊印は不斉炭素原子を表し、Ｒ、Ｒ’及びＲ’’は、それぞれ独立して水素原子、ヒドロキシ基又はメトキシ基である。
冷感強度の観点から、Ｒ、Ｒ’及びＲ’’は、それぞれ独立して水素原子若しくはヒドロキシ基であることが好ましい。
【００７９】
このようにして得られた一般式（１）で表される２，２，６−トリメチルシクロヘキサンカルボン酸誘導体は、強く、持続性のある冷感効果を有し、そのまま単独で冷感剤又は感覚刺激剤として利用することもできる。
【００８０】
一般式（１）で表される２，２，６−トリメチルシクロヘキサンカルボン酸誘導体は、種々の製品に含有させることもできる。その場合、製品の種類、使用目的等により、その適用範囲や適用方法を適宜変える必要があるが、当該カルボン酸誘導体は、製品の全組成に対して、通常０．００００１〜５０質量％、好ましくは０．０００１〜２０質量％、特に好ましくは０．００１〜５質量％の濃度で用いられる。
【００８１】
また、本発明の冷感剤組成物における、一般式（１）で表される２，２，６−トリメチルシクロヘキサンカルボン酸誘導体の含有量は、冷感剤組成物の使用目的等によって適宜変える必要があるが、通常０．００００１〜５０質量％、好ましくは０．０００１〜２０質量％、特に好ましくは０．００１〜５質量％である。
【００８２】
本発明の冷感剤組成物は、一般式（１）で表される２，２，６−トリメチルシクロヘキサンカルボン酸誘導体以外の冷感物質を少なくとも１種更に含有することにより、冷感強度をより高めた冷感剤組成物とすることができる。さらには、冷感強度を高めた、当該冷感剤組成物を含有する感覚刺激剤組成物を調製することができる。
【００８３】
前記一般式（１）で表される２，２，６−トリメチルシクロヘキサンカルボン酸誘導体以外の冷感物質としては、例えば；
メントール、メントン、カンファー、プレゴール、イソプレゴール、シネオール、キュベノール、酢酸メンチル、酢酸プレギル、酢酸イソプレギル、サリチル酸メンチル、サリチル酸プレギル、サリチル酸イソプレギル、３−（ｌ−メントキシ）プロパン−１，２−ジオール、２−メチル−３−（ｌ−メントキシ）プロパン−１，２−ジオール、２−（ｌ−メントキシ）エタン−１−オール、３−（ｌ−メントキシ）プロパン−１−オール、４−（ｌ−メントキシ）ブタン−１−オール、３−ヒドロキシブタン酸メンチル、グリオキシル酸メンチル、ｐ−メンタン−３，８−ジオール、１−（２−ヒドロキシ−４−メチルシクロヘキシル）エタノン、乳酸メンチル、メントングリセリンケタール、メンチル−２−ピロリドン−５−カルボキシラート、モノメンチルスクシナート、モノメンチルスクシナートのアルカリ金属塩、モノメンチルスクシナートのアルカリ土類金属塩、モノメンチルグルタラート、モノメンチルグルタラートのアルカリ金属塩、モノメンチルグルタラートのアルカリ土類金属塩、Ｎ−［［５−メチル−２−（１−メチルエチル）シクロヘキシル］カルボニル］グリシン、ｐ−メンタン−３−カルボン酸グリセロールエステル、メントールプロピレングリコールカルボナート、メントールエチレングリコールカルボナート、ｐ−メンタン−２，３−ジオール、２−イソプロピル−Ｎ，２，３−トリメチルブタンアミド、Ｎ−エチル−ｐ−メンタン−３−カルボキサミド、３−（ｐ−メンタン−３−カルボキサミド）酢酸エチル、Ｎ−（４−メトキシフェニル）−ｐ−メンタンカルボキサミド、Ｎ−エチル−２，２−ジイソプロピルブタンアミド、Ｎ−シクロプロピル−ｐ−メンタンカルボキサミド、Ｎ−（４−シアノメチルフェニル）−ｐ−メンタンカルボキサミド、Ｎ−（２−ピリジン−２−イル）−３−ｐ−メンタンカルボキサミド、Ｎ−（２−ヒドロキシエチル）−２−イソプロイル−２，３−ジメチルブタンアミド、Ｎ−（１，１−ジメチル−２−ヒドロキシエチル）−２，２−ジエチルブタンアミド、シクロプロパンカルボン酸（２−イソプロピル−５−メチルシクロヘキシル）アミド、Ｎ−エチル−２，２−ジイソプロピルブタンアミド、Ｎ−［４−（２−アミノ−２−オキソエチル）フェニル］−ｐ−メンタンカルボキサミド、２−［（２−ｐ−メントキシ）エトキシ］エタノール、２，６−ジエチル−５−イソプロピル−２−メチルテトラヒドロピラン、トランス−４−ｔｅｒｔ−ブチルシクロヘキサノール等の化合物（α）並びにこれらのラセミ体及び光学活性体；
キシリトール、エリスリトール、デキストロース、ソルビトール等の糖アルコール（β）；
和種ハッカオイル、ペパーミントオイル、スペアーミントオイル、ユーカリプタスオイル等の天然物（γ）；
日本国特開２００１−２９４５４６号公報、日本国特開２００５−３４３９１５号公報、日本国特開２００７−００２００５号公報、日本国特開２００９−２６３６６４号公報、日本国特開２０１０−２５４６２１号公報、日本国特開２０１０−２５４６２２号公報、日本国特開２０１１−０７９９５３号公報、米国特許第４１３６１６３号明細書、米国特許第４１５００５２号明細書、米国特許第４１７８４５９号明細書、米国特許第４１９０６４３号明細書、米国特許第４１９３９３６号明細書、米国特許第４２２６９８８号明細書、米国特許第４２３０６８８号明細書、米国特許第４０３２６６１号明細書、米国特許第４１５３６７９号明細書、米国特許第４２９６２５５号明細書、米国特許第４４５９４２５号明細書、米国特許第５００９８９３号明細書、米国特許第５２６６５９２号明細書、米国特許第５６９８１８１号明細書、米国特許第５７２５８６５号明細書、米国特許第５８４３４６６号明細書、米国特許第６２３１９００号明細書、米国特許第６２７７３８５号明細書、米国特許第６２８０７６２号明細書、米国特許第６３０６４２９号明細書、米国特許第６４３２４４１号明細書、米国特許第６４５５０８０号明細書、米国特許第６６２７２３３号明細書、米国特許第７０７８０６６号明細書、米国特許第６７８３７８３号明細書、米国特許第６８８４９０６号明細書、米国特許第７０３０２７３号明細書、米国特許第７０９０８３２号明細書、米国特許出願公開第２００４／０１７５４８９号明細書、米国特許出願公開第２００４／０１９１４０２号明細書、米国特許出願公開第２００５／００１９４４５号明細書、米国特許出願公開第２００５／０２２２２５６号明細書、米国特許出願公開第２００５／０２６５９３０号明細書、米国特許出願公開第２００６／０１５８１９号明細書、米国特許出願公開第２００６／０２４９１６７号明細書、欧州特許出願公開第１６８９２５６号明細書、国際公開第２００５／０８２１５４号、国際公開第２００５／０９９４７３号、国際公開第２００６／０５８６００号、国際公開第２００６／０９２０７６号、国際公開第２００６／１２５３３４号に記載の化合物（δ）；
等を例示することができる。
これらは、１種又は２種以上を適宜配合して用いることができる。中でも、上記冷感物質は、化合物（α）、糖アルコール（β）及び天然物（γ）からなる群より選ばれる少なくとも１種の冷感物質を含むことが好ましい。
【００８４】
本発明の冷感剤組成物中において、一般式（１）で表される２，２，６−トリメチルシクロヘキサンカルボン酸誘導体と当該カルボン酸誘導体以外の冷感物質とは、本発明の効果を損なわない範囲において任意の割合で用いることができるが、当該カルボン酸誘導体と当該カルボン酸誘導体以外の冷感物質の好ましい使用割合は、質量比で１：９９〜９０：１０の範囲である。
【００８５】
本発明の冷感剤組成物は、香料組成物や飲料、食品、香粧品、トイレタリー製品、エアケア製品、日用・雑貨品、口腔用組成物、ヘアケア製品、スキンケア製品、ボディケア製品、衣料用洗剤、衣料用柔軟仕上げ剤、医薬品部外品及び医薬品等の製品に配合することができる。
【００８６】
［感覚刺激剤組成物］
本発明の冷感剤組成物は、強く、かつ持続性のある冷感効果を有していることから、この冷感剤組成物を含有させることにより、冷感効果を有する本発明の感覚刺激剤組成物を調製することができる。
【００８７】
本発明の感覚刺激剤組成物を調製する場合において、冷感剤組成物の配合量は、製品の種類、使用目的等により、その適用範囲や適用方法を適宜変更する必要があるが、感覚刺激剤組成物の全組成に対して、通常０．００００１〜５０質量％、好ましくは０．０００１〜２０質量％、特に好ましくは０．００１〜４質量％である。
【００８８】
なお、本発明の感覚刺激剤組成物は、感覚を刺激する効果を与える組成物である。前記感覚を刺激する効果としては、冷感効果及び／又は温感効果を含む。従って、本発明においては、感覚刺激剤組成物は冷感剤組成物及び／又は温感剤組成物をも含む概念として用いられている。
【００８９】
本発明の感覚刺激剤組成物においては、少なくとも１種の温感物質を更に含有することにより、感覚刺激剤組成物の刺激効果を調整することができる。
【００９０】
温感物質としては、例えば；
バニリルメチルエーテル、バニリルエチルエーテル、バニリルプロピルエーテル、バニリルイソプロピルエーテル、バニリルブチルエーテル、バニリルアミルエーテル、バニリルイソアミルエーテル、バニリルヘキシルエーテル、イソバニリルメチルエーテル、イソバニリルエチルエーテル、イソバニリルプロピルエーテル、イソバニリルイソプロピルエーテル、イソバニリルブチルエーテル、イソバニリルアミルエーテル、イソバニリルイソアミルエーテル、イソバニリルヘキシルエーテル、エチルバニリルメチルエーテル、エチルバニリルエチルエーテル、エチルバニリルプロピルエーテル、エチルバニリルイソプロピルエーテル、エチルバニリルブチルエーテル、エチルバニリルアミルエーテル、エチルバニリルイソアミルエーテル、エチルバニリルヘキシルエーテル、バニリンプロピレングリコールアセタール、イソバニリンプロピレングリコールアセタール、エチルバニリンプロピレングリコールアセタール、バニリルブチルエーテル酢酸エステル、イソバニリルブチルエーテル酢酸エステル、エチルバニリルブチルエーテル酢酸エステル、４−（ｌ−メントキシメチル）−２−（３’−メトキシ−４’−ヒドロキシフェニル）−１，３−ジオキソラン、４−（ｌ−メントキシメチル）−２−（３’−ヒドロキシ−４’−メトキシフェニル）−１，３−ジオキソラン、４−（ｌ−メントキシメチル）−２−（３’−エトキシ−４’−ヒドロキシフェニル）−１，３−ジオキソラン、カプサイシン、ジヒドロカプサイシン、ノルジヒドロカプサイシン、ホモジヒドロカプサイシン、ホモカプサイシン、ビスカプサイシン、トリスホモカプサイシン、ノルノルカプサイシン、ノルカプサイシン、カプサイシノール、バニリルカプリルアミド（オクチル酸バニリルアミド）、バニリルペリラゴンアミド（ノニル酸バニリルアミド）、バニリルカプロアミド（デシル酸バニリルアミド）、バニリルウンデカンアミド（ウンデシル酸バニリルアミド）、Ｎ−トランス−フェルロイルチラミン、Ｎ−５−（４−ヒドロキシ−３−メトキシフェニル）−２Ｅ，４Ｅ−ペンタジエノイルピペリジン、Ｎ−トランス−フェルロイルピペリジン、Ｎ−５−（４−ヒドロキシ−３−メトキシフェニル）−２Ｅ−ペンテノイルピペリジン、Ｎ−５−（４−ヒドロキシフェニル）−２Ｅ，４Ｅ−ペンタジエノイルピペリジン、ピペリン、イソピペリン、シャビシン、イソシャビシン、ピペラミン、ピペレチン、ピペロレインＢ、レトロフラクタミドＡ、ピペラシド、グイネンサイド、ピペリリン、ピペラミドＣ５：１（２Ｅ）、ピペラミドＣ７：１（６Ｅ）、ピペラミドＣ７：２（２Ｅ，６Ｅ）、ピペラミドＣ９：１（８Ｅ）、ピペラミドＣ９：２（２Ｅ，８Ｅ）、ピペラミドＣ９：３（２Ｅ，４Ｅ，８Ｅ）、ファガラミド、サンショオール−Ｉ、サンショオール−ＩＩ、ヒドロキシサンショオール、サンショウアミド、ジンゲロール、ショウガオール、ジンゲロン、メチルジンゲロール、パラドール、スピラントール、カビシン、ポリゴジアール（タデオナール）、イソポリゴジアール、ジヒドロポリゴジアール、タデオン等の化合物（ε）並びにこれらのラセミ体及び光学活性体；
トウガラシ油、トウガラシオレオレジン、ジンジャーオレオレジン、ジャンブーオレオレジン（キバナオランダセンニチ抽出物）、サンショウエキス、サンショウアミド、黒胡椒エキス、白胡椒エキス、タデエキス等の天然物（ζ）；
日本国特開平８−２２５５６４号公報、日本国特開２００７−０１５９５３号公報、日本国特表２００７−５１０６３４号公報、日本国特表２００８−５０５８６８号公報、国際公開第２００７／０１３８１１号、国際公開第２００３／１０６４０４号、欧州特許出願公開第１３２３３５６号明細書、独国特許出願公開第１０３５１４２２号明細書、米国特許出願公開第２００５／０１８１０２２号明細書、米国特許出願公開第２００８／００３８３８６号明細書に記載の化合物（η）；
等を例示することができる。
これらは、１種又は２種以上を適宜配合して用いることができる。中でも、上記温感物質は、化合物（ε）、及び天然物（ζ）からなる群より選ばれる少なくとも１種の温感物質を含むことが好ましい。
【００９１】
本発明の感覚刺激剤組成物においては、冷感効果を目的とする場合、温感物質と冷感剤組成物との配合比は、温感物質の配合により温感効果が付与されない範囲であればよい。その際、温感物質の配合量は、冷感剤組成物の総質量に対して、通常０．００１〜０．９５倍量、好ましく０．０１〜０．５倍量である。本発明の感覚刺激剤組成物において、冷感剤組成物に上記割合で温感物質が添加されることにより、冷感効果の更なる向上が見られる。
【００９２】
また、温感効果を目的とする場合は、温感物質と冷感剤組成物との配合比は、冷感剤組成物の配合により冷感効果が付与されない範囲であればよい。その際、冷感剤組成物の配合量は、温感物質の総質量に対して、通常０．００１〜０．９５倍量、好ましくは０．０１〜０．５倍量である。
【００９３】
［香料組成物］
本発明の香料組成物は、本発明の感覚刺激剤組成物を含有する。また、本発明の香料組成物は、香料成分を含有することができる。
当該香料成分としては、各種の合成香料、天然精油、合成精油、柑橘油、動物性香料等を挙げることができ、例えば、非特許文献１に記載されているような広範な種類の香料成分を使用することができる。
【００９４】
その中でも代表的なものとしては、例えば、α−ピネン、リモネン、ｃｉｓ−３−ヘキセノール、フェニルエチルアルコール、スチラリルアセテート、オイゲノール、ローズオキサイド、リナロール、ベンズアルデヒド、ムスコン、ムスクＴ（高砂香料工業株式会社製）、テサロン（高砂香料工業株式会社製）等を挙げることができる。
【００９５】
本発明の感覚刺激剤組成の含有量は、一緒に調合する香料やその他の成分の種類、当該香料組成物の使用目的等により調整することができるが、冷感強度の観点から、香料組成物の全質量に対して、０．００００１〜９０質量％であることが好ましく、０．０００１〜２０質量％であることがより好ましく、０．００１〜４質量％であることがさらに好ましい。
【００９６】
また、本発明の香料組成物が香粧品用の場合、本発明の感覚刺激剤組成の含有量は、香料組成物の全質量に対して、通常０．００００１〜５０質量％、好ましくは０．００１〜５０質量％、特に好ましくは０．０１〜２０質量％である。
さらに、本発明の香料組成物が飲料用や食品用の場合、本発明の感覚刺激剤組成の含有量は、香料組成物の全質量に対して、０．０００１〜５０質量％であることが好ましく、０．００１〜３０質量％であることがより好ましい。
【００９７】
本発明の香料組成物は、必要に応じて、香料組成物において通常使用されている他の香料保留剤を含有していてもよい。その場合の他の香料保留剤としては、例えば、エチレングリコール、プロピレングリコール、ジプロピレングリコール、グリセリン、ヘキシルグリコール、ベンジルベンゾエート、トリエチルシトレート、ジエチルフタレート、ハーコリン、中鎖脂肪酸トリグリセライド、中鎖脂肪酸ジグリセライド等を挙げることができ、これらの１種又は２種以上を含有することができる。
【００９８】
［製品］
本発明の製品は、冷感又は感覚刺激の付与を目的として、本発明の感覚刺激剤組成物又は本発明の香料組成物を含有する。
【００９９】
上記製品は、特に限定されないが、例えば、飲料；食品；洗浄剤、台所用洗剤、漂白剤等のトイレタリー製品；消臭剤・芳香剤等のエアケア製品；口腔用組成物；フレグランス製品、基礎化粧品、仕上げ化粧品、頭髪化粧品、日焼け化粧品、薬用化粧品等の香粧品；ヘアケア製品；石鹸等のスキンケア製品；身体洗浄剤等のボディケア製品；浴用剤；衣料用洗剤；衣料用柔軟仕上げ剤；エアゾール剤；日用・雑貨品；医薬部外品又は医薬品等が挙げられる。
【０１００】
前記飲料としては、果汁飲料、果実酒、乳飲料、炭酸飲料、清涼飲料、ドリンク剤の如き飲料類；緑茶、ウーロン茶、紅茶、柿の葉茶、カミツレ茶、クマザサ茶、桑茶、ドクダミ茶、プアール茶、マテ茶、ルイボス茶、ギムネマ茶、グアバ茶、コーヒー、ココアの如き茶飲料又は嗜好飲料類；和風スープ、洋風スープ、中華スープの如きスープ類；各種インスタント飲料類等；
前記食品としては、アイスクリーム類、シャーベット類、アイスキャンディー類の如き冷菓類；ゼリー、プリン等のデザート類；ケーキ、クッキー、チョコレート、チューインガム等の洋菓子類；饅頭、羊羹、ウイロウ等の和菓子類；ジャム類；キャンディー類；パン類；風味調味料；各種インスタント食品類；各種スナック食品類等；
前記口腔用組成物としては、歯磨き、口腔洗浄料、マウスウオッシュ、トローチ、チューインガム等；
前記フレグランス製品としては、香水、オードパルファム、オードトワレ、オーデコロン等；
前記基礎化粧品としては、洗顔クリーム、バニシングクリーム、クレンジングクリーム、コールドクリーム、マッサージクリーム、乳液、化粧水、美容液、パック、メイク落とし等；
前記仕上げ化粧品としては、ファンデーシヨン、粉おしろい、固形おしろい、タルカムパウダー、口紅、リップクリーム、頬紅、アイライナー、マスカラ、アイシャドゥ、眉墨、アイパック、ネイルエナメル、エナメルリムバー等；
前記頭髪化粧品としては、ポマード、ブリランチン、セットローション、ヘアーステック、ヘアーソリッド、ヘアーオイル、ヘアートリートメント、ヘアークリーム、ヘアートニック、ヘアーリキッド、ヘアースプレー、バンドリン、養毛剤、染毛剤等；
前記日焼け化粧品としては、サンタン製品、サンスクリーン製品等；
前記薬用化粧品としては、制汗剤、アフターシェービングローション及びジェル、パーマネン卜ウェーブ剤、薬用石鹸、薬用シャンプー、薬用皮膚化粧料等；
前記ヘアケア製品としては、シャンプー、リンス、リンスインシャンプー、コンディショナー、トリートメン卜、ヘアーパック等；
前記石鹸としては、化粧石鹸、浴用石鹸、香水石鹸、透明石鹸、合成石鹸等；
前記身体洗浄剤としては、ボディソープ、ボディシャンプー、ハンドソープ、フェースクリーム等；
前記浴用剤としては、入浴剤（バスソルト、バスタブレット、バスリキッド等）、フォームバス（バブルバス等）、バスオイル（バスパヒューム、バスカプセル等）、ミルクバス、バスジェリー、バスキユーブ等；
前記衣料用洗剤としては、衣料用重質洗剤、衣料用軽質洗剤、液体洗剤、洗濯石鹸、コンパクト洗剤、粉石鹸等；
前記衣料用柔軟仕上げ剤としては、ソフナー、ファーニチァケアー等；
前記洗浄剤としては、クレンザー、ハウスクリーナー、トイレ洗浄剤、浴室用洗浄剤、ガラスクリーナー、カビ取り剤、排水管用洗浄剤等；
前記台所用洗剤としては、台所用石鹸、台所用合成石鹸、食器用洗剤等；
前記漂白剤としては、酸化型漂白剤（塩素系漂白剤、酸素系漂白剤等）、還元型漂白剤（硫黄系漂白剤等）、光学的漂白剤等；
前記エアゾール剤としては、スプレータイプ、パウダースプレー等；
前記消臭・芳香剤としては、固形状タイプ、ゲル状タイプ、リキッドタイプ（水性、油性）等；
前記日用・雑貨品としては、ティッシュペーパー、トイレットペーパー等；
前記医薬部外品としては、液体入浴剤、洗口液、忌避剤等、前記忌避剤としてはミストスプレータイプ、水性液体タイプ等；
前記医薬品としては、薬用化粧品、薬用ローション等；
の種々の形態を挙げることができる。
【０１０１】
本発明の製品に、本発明の感覚刺激剤組成物又は本発明の香料組成物を含有させるときの感覚刺激剤組成物又は香料組成物の形状は、感覚刺激剤組成物又は香料組成物自体の形状やその他の形状をとることができる。
【０１０２】
その他の形状としては、例えば、
アルコール類、プロピレングリコール、グリセリン、ジプロピレングリコール等の多価アルコール類、トリエチルシトレート、ベンジルベンゾエート、ジエチルフタレート等のエステル類に溶解した液体状；
グリセリン脂肪酸エステル、ショ糖脂肪酸エステル等の乳化剤で乳化した乳化状；
アラビアガム、トラガントガム等の天然ガム質類、ゼラチン、デキストリン等の賦形剤を用いて被膜させた粉末状；
界面活性剤、例えば、非イオン界面活性剤、アニオン界面活性剤、カチオン界面活性剤、両性界面活性剤等を用いて可溶化あるいは分散化した可溶化状或いは分散化状；
カプセル化剤で処理して得られるマイクロカプセル等；
その目的に応じて任意の形状を選択して用いられている。
【０１０３】
本発明の感覚刺激剤組成物又は本発明の香料組成物を用いて上記したような各種製品に冷感又は感覚刺激の付与する方法としては、例えば、
冷感又は感覚刺激が付与される製品の種類や製品の最終形態（例えば、液体状、固体状、粉末状、ゲル状、ミスト状、エアゾール状等の製品形態）に応じて、感覚刺激剤組成物又は香料組成物を、その製品に直接添加又は付与してもよいし；
感覚刺激剤組成物又は香料組成物を、例えば、アルコール類、プロピレングリコール、グリセリン等の多価アルコール類に溶解して液体状にして製品に添加又は付与してもよいし；
アラビアガム、トラガントガム等の天然ガム質類、界面活性剤（例えば、グリセリン脂肪酸エステル、ショ糖脂肪酸エステル等の非イオン界面活性剤、アニオン界面活性剤、カチオン界面活性剤、両性界面活性剤等）を用いて可溶化或いは乳化分散させた可溶化状或いは分散状にして製品に添加又は付与してもよいし；
アラビアガム、トラガントガム等の天然ガム質類、ゼラチン、デキストリン等の賦形剤を用いて被膜形成した粉末状で製品に添加又は付与してもよいし；
カプセル化剤で処理してマイクロカプセルにして製品に添加又は付与してもよい。
さらに、サイクロデキストリン等の包接剤に包接して、感覚刺激剤組成物又は香料組成物を安定化すると共に徐放性にして用いてもよい。
【０１０４】
冷感又は感覚刺激付与を行う際の製品への感覚刺激剤組成物又は香料組成物の添加量又は付与量は、製品の種類や形態、製品に求められる冷感又は感覚刺激付け効果や作用等に応じて調整することができる。一般的には製品の質量に対して、感覚刺激剤組成物又は香料組成物の添加量又は付与量が、冷感強度の観点から、０．００００１〜５０質量％であることが好ましく、０．０００１〜２０質量％であることがより好ましく、０．００１〜４質量％であることがさらに好ましい。
【実施例】
【０１０５】
以下、実施例及び合成例を説明するが、本発明はこれらの実施例及び合成例に限定されるものではない。なお、カルボン酸化合物（５）の合成に用いた原料の各シトロネラールの光学純度は以下のとおりである。
ｌ−シトロネラール：９６．６％ｅ．ｅ．
ｄ−シトロネラール：９７．８％ｅ．ｅ．【０１０６】
また、特許文献２９に記載の手法に従って合成した光学活性な各カルボン酸化合物（５）のトランス体（以下、「（１Ｒ，６Ｓ）−５」と称することがある。）とシス体（以下、「（１Ｒ，６Ｒ）−５」と称することがある。）の異性体比、及び光学純度は以下のとおりである。【０１０７】
［ａ］ｌ−シトロネラール由来のカルボン酸化合物（５）
トランス／シス比  （１Ｒ，６Ｓ）−５／（１Ｒ，６Ｒ）−５＝９０／１０
光学純度  （１Ｒ，６Ｓ）−５：９３．１％ｅ．ｅ．
（１Ｒ，６Ｒ）−５：＞９９．０％ｅ．ｅ．【０１０８】
［ｂ］ｄ−シトロネラール由来のカルボン酸化合物（５）
トランス／シス比  （１Ｓ，６Ｒ）−５／（１Ｓ，６Ｓ）−５＝９１／９
光学純度  （１Ｓ，６Ｒ）−５：９６．３％ｅ．ｅ．
（１Ｓ，６Ｓ）−５：＞９９．０％ｅ．ｅ．
従って、本実施例中の化合物は、少量若しくは極少量のジアスレテオマー及びエナンチオマーを含有する。【０１０９】
実施例及び合成例中での生成物の測定は、次の機器装置類を用いて行った。
核磁気共鳴スペクトル：１Ｈ−ＮＭＲ：ＡＭ−５００（５００ＭＨｚ）（ブルッカー社製）
外部標準物質：テトラメチルシラン
ガスクロマトグラフ（ＧＣ）：ＧＣ−２０１０ＡＦ（島津製作所製）、ＧＣ−４０００Ｐｌｕｓ（ＧＬサイエンス社製）
カラム：ＤＢ−ＷＡＸ（３０ｍ×０．３２ｎｍ×０．５μｍ）（ヒューレット・パッカード社製）、ＩＣ−１（３０ｍ×０．２５ｍｍ×０．２５μｍ）（ヒューレット・パッカード社製）、Ｒｔｘ−１（３０ｍ×０．２５ｍｍ×０．２５μｍ）（ＲｅＳｔｅｋ社製）、Ｉｎｅｒｔ  Ｃａｐ１（３０ｍ×０．２５ｍｍ×０．２５μｍ）（ＧＬサイエンス社製）高分解能質量スペクトル（ＨＲＭＳ）：ＪＭＳ−Ｔ１００ＧＣＶ（日本電子社製）
融点：融点測定装置（シリアルナンバー：２６７８）（柳本製作所製）【０１１０】
なお、下記の化合物中、Ｍｅはメチル基を、Ｅｔはエチル基表す。【０１１１】
［実施例１］（１Ｒ，６Ｓ）−２，２，６−トリメチル−Ｎ−フェネチルシクロヘキサン−１−カルボキサミド（例示化合物（１Ｒ，６Ｓ）−１０−１）の合成【０１１２】
【化２２】
2019078185.tif 000024
【０１１３】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４ｅｑ．）及びアセトニトリル（１０ｍＬ）を添加した。室温にてメタンスルホニルクロリド（０．５５ｍＬ、１．２ｅｑ．）をゆっくりと滴下し、室温にて２０分撹拌した後、フェネチルアミン（０．８１ｍＬ、１．１ｅｑ．）を添加し、室温にて４５分反応させた。酢酸エチル（１５ｍＬ）で反応溶液を希釈した後、後処理としてゆっくりと２Ｎ塩酸（１５ｍＬ）を添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘプタン／酢酸エチルにて再結晶を行い、標記化合物（１．０８ｇ、収率６８％）を白色固体として得た。【０１１４】
融点：７９〜８２℃
ＨＲＭＳ：質量２７３．２０９３    実測値２７３．２０８０（［Ｍ］＋）
１Ｈ−ＮＭＲ（５００ＭＨｚ，ＣＤＣｌ３）：δ０．８４（ｄ，３Ｈ，Ｊ＝６．４Ｈｚ），０．８５−０．９２（ｍ，１Ｈ），０．９３（ｓ，３Ｈ），１．０４（ｓ，３Ｈ），１．１１（ｄｔ，１Ｈ，Ｊ＝４．８，１２．９Ｈｚ），１．３６−１．４２（ｍ，２Ｈ），１．４５−１．５９（ｍ，２Ｈ），１．７０−１．７８（ｍ，１Ｈ），１．８４−１．９５（ｍ，１Ｈ），３．８０（ｓ，３Ｈ），４．３４（ｄｄ，１Ｈ，Ｊ＝５．２，１４．３，Ｈｚ），４．４４（ｄｄ，１Ｈ，Ｊ＝４．８，１４．４，Ｈｚ），５．５５（ｂｒ，１Ｈ），６．８４−６．８８（ｍ，２Ｈ），７．１９−７．２３（ｍ，２Ｈ）．【０１１５】
［実施例２］（１Ｒ，６Ｓ）−Ｎ−（２−ヒドロキシ−２−フェニルエチル）−２，２，６−トリメチルシクロヘキサン−１−カルボキサミド（例示化合物（１Ｒ，６Ｓ）−１０−４）の合成【０１１６】
【化２３】
2019078185.tif 000025
【０１１７】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。室温にてメタンスルホニルクロリド（０．５５ｍＬ、１．２０ｅｑ．）をゆっくりと滴下し、室温にて２０分撹拌した後、２−アミノ−１−フェニルエタノール（０．９７ｇ、１．２０ｅｑ．）を添加し、室温にて４５分反応させた。酢酸エチル（１５ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル＝２／１）にて単離精製を行い、標記化合物（１．３２ｇ、収率７８％）を薄黄色結晶として得た。【０１１８】
融点：９５〜９８℃
ＨＲＭＳ：質量２９０．２１１５    実測値２９０．２１１５（［Ｍ＋Ｈ］＋）
１Ｈ−ＮＭＲ（５００ＭＨｚ，ＣＤＣｌ３）：δ０．７８−０．９４（ｍ，７Ｈ），０．９６−１．０４（ｍ，３Ｈ），１．０６−１．１６（ｍ，１Ｈ），１．３５−１．５５（ｍ，４Ｈ），１．６９−１．７６（ｍ，１Ｈ），１．８１−１．９１（ｍ，１Ｈ），３．３２−３．４６（ｍ，１Ｈ），３．６６−３．８１（ｍ，２Ｈ），４．８２−４．８９（ｍ，１Ｈ），５．８１−５．９１（ｂｒ，１Ｈ），７．２５−７．２９（ｍ，１Ｈ），７．３１−７．３９（ｍ，４Ｈ）．【０１１９】
［実施例３］（１Ｓ，６Ｒ）−Ｎ−（２−ヒドロキシ−２−フェニルエチル）−２，２，６−トリメチルシクロヘキサン−１−カルボキサミド（例示化合物（１Ｓ，６Ｒ）−１０−４）の合成【０１２０】
【化２４】
2019078185.tif 000026
【０１２１】
窒素雰囲気下にて５０ｍＬ二つ口フラスコに特許文献２９に記載の手法に従って得られた（１Ｓ，６Ｒ）−２，２，６−トリメチルシクロヘキサンカルボン酸（（１Ｓ，６Ｒ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて２０分撹拌した後、２−アミノ−１−フェニルエタノール（０．９７ｇ、１．２０ｅｑ．）を添加し、室温にて３０分反応させた。酢酸エチル（１５ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル＝３／１）にて単離精製を行い、標記化合物（１．３６ｇ、収率８０％）を薄黄色アモルファス固体として得た。【０１２２】
融点：９６〜９９℃
ＨＲＭＳ：質量２９０．２１１５    実測値２９０．２１１５（［Ｍ＋Ｈ］＋）
１Ｈ−ＮＭＲ（５００ＭＨｚ，ＣＤＣｌ３）：δ０．７８−０．９５（ｍ，７Ｈ），０．９５−１．０４（ｍ，３Ｈ），１．０６−１．１７（ｍ，１Ｈ），１．３６−１．５５（ｍ，４Ｈ），１．６７−１．７８（ｍ，１Ｈ），１．７９−１．９１（ｍ，１Ｈ），３．３２−３．４６（ｍ，１Ｈ），３．６３−３．７７（ｍ，２Ｈ），３．８６−３．９５（ｍ，１Ｈ），４．８２−４．８９（ｍ，１Ｈ），５．８９−５．９７（ｍ，１Ｈ），７．２５−７．２９（ｍ，１Ｈ），７．３１−７．３９（ｍ，４Ｈ）．【０１２３】
［実施例４］（１Ｒ，６Ｓ）−Ｎ−（（Ｒ）−２−ヒドロキシ−２−フェニルエチル）−２，２，６−トリメチルシクロヘキサン−１−カルボキサミド（例示化合物（１Ｒ，６Ｓ）−１０−５）の合成【０１２４】
【化２５】
2019078185.tif 000027
【０１２５】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。室温にてメタンスルホニルクロリド（０．５５ｍＬ、１．２０ｅｑ．）をゆっくりと滴下し、室温にて２５分撹拌した後、（Ｒ）−２−アミノ−１−フェニルエタノール（０．９７ｇ、１．２０ｅｑ．）を添加し、室温にて１時間反応させた。酢酸エチル（１０ｍＬ）で反応溶液を希釈した後、後処理として２Ｎ塩酸（１５ｍＬ）をゆっくりと添加した。油層を飽和重曹水（２０ｍＬ）で２回洗浄し、更に飽和食塩水（１５ｍＬ）で１回洗浄して、硫酸ナトリウムにて乾燥した。得られた溶液を減圧濃縮し、シリカゲルカラムクロマトグラフィー（ヘキサン／酢酸エチル＝２／１）にて単離精製を行い、標記化合物（１．３７ｇ、収率８１％）を薄黄色アモルファス固体として得た。【０１２６】
ＨＲＭＳ：質量２９０．２１１５    実測値２９０．２１１３（［Ｍ＋Ｈ］＋）
１Ｈ−ＮＭＲ（５００ＭＨｚ，ＣＤＣｌ３）：δ０．８４（ｄ，３Ｈ，Ｊ＝６．３Ｈｚ），０．８３−０．９１（ｍ，１Ｈ），０．９１（ｓ，３Ｈ），１．００（ｓ，３Ｈ），１．０７−１．１５（ｍ，１Ｈ），１．３５−１．５４（ｍ，４Ｈ），１．６８−１．７７（ｍ，１Ｈ），１．８２−１．９１（ｍ，１Ｈ），３．３１−３．３９（ｍ，１Ｈ），３．７４−３．７９（ｍ，２Ｈ），４．８２−４．８８（ｍ，１Ｈ），５．８４（ｂｒ，１Ｈ），７．２４−７．２９（ｍ，１Ｈ），７．３１−７．３９（ｍ，４Ｈ）．【０１２７】
［実施例５］（１Ｓ，６Ｒ）−Ｎ−（（Ｒ）−２−ヒドロキシ−２−フェニルエチル）−２，２，６−トリメチルシクロヘキサン−１−カルボキサミド（例示化合物（１Ｓ，６Ｒ）−１０−５）の合成【０１２８】
【化２６】
2019078185.tif 000028
【０１２９】
窒素雰囲気下にて５０ｍＬ二つ口フラスコに特許文献２９に記載の手法に従って得られた（１Ｓ，６Ｒ）−２，２，６−トリメチルシクロヘキサンカルボン酸（（１Ｓ，６Ｒ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて２０分撹拌した後、（Ｒ）−２−アミノ−１−フェニルエタノール（０．９７ｇ、１．２０ｅｑ．）を添加し、室温にて１時間反応させた。酢酸エチル（１０ｍＬ）で反応溶液を希釈した後、後処理として２Ｎ塩酸（１５ｍＬ）をゆっくりと添加した。油層を飽和重曹水（２０ｍＬ）で２回洗浄し、更に飽和食塩水（１５ｍＬ）で１回洗浄して、硫酸ナトリウムにて乾燥した。得られた溶液を減圧濃縮し、シリカゲルカラムクロマトグラフィー（ヘキサン／酢酸エチル＝２／１）にて単離精製を行い、標記化合物（１．１７ｇ、収率６９％）を薄黄色結晶として得た。【０１３０】
融点：１０５〜１１０℃
ＨＲＭＳ：質量２９０．２１１５    実測値２９０．２１１５（［Ｍ＋Ｈ］＋）
１Ｈ−ＮＭＲ（５００ＭＨｚ，ＣＤＣｌ３）：δ０．８８（ｄ，３Ｈ，Ｊ＝６．３Ｈｚ），０．８０−０．８７（ｍ，１Ｈ），０．８９（ｓ，３Ｈ），１．００（ｓ，３Ｈ），１．０６−１．１４（ｍ，１Ｈ），１．３４−１．４３（ｍ，１Ｈ），１．４４−１．５２（ｍ，１Ｈ），１．６７−１．８７（ｍ，２Ｈ），３．４１（ｄｄｄ，１Ｈ，Ｊ＝５．３，７．６，１４．１Ｈｚ），３．６５（ｄｄｄ，１Ｈ，Ｊ＝３．３，６．６，１４．１Ｈｚ），３．９０−３．９７（ｍ，１Ｈ），４．０４（ｄ，１Ｈ，Ｊ＝３．６Ｈｚ），４．７９−４．８６（ｍ，１Ｈ），６．０８（ｂｒ，１Ｈ），７．２４−７．２８（ｍ，１Ｈ），７．３０−７．３８（ｍ，４Ｈ）．【０１３１】
［実施例６］（１Ｒ，６Ｓ）−Ｎ−（（Ｓ）−２−ヒドロキシ−２−フェニルエチル）−２，２，６−トリメチルシクロヘキサン−１−カルボキサミド（例示化合物（１Ｒ，６Ｓ）−１０−６）の合成【０１３２】
【化２７】
2019078185.tif 000029
【０１３３】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。室温にてメタンスルホニルクロリド（０．５５ｍＬ、１．２０ｅｑ．）をゆっくりと滴下し、室温にて２０分撹拌した後、（Ｓ）−２−アミノ−１−フェニルエタノール（１．００ｇ、１．２３ｅｑ．）を添加し、室温にて１時間反応させた。酢酸エチル（１０ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル＝２／１）にて単離精製を行い、標記化合物（１．２７ｇ、収率７４％）を薄黄色結晶として得た。【０１３４】
融点：１０７〜１１１℃
ＨＲＭＳ：質量２９０．２１１５    実測値２９０．２１１３（［Ｍ＋Ｈ］＋）
１Ｈ−ＮＭＲ（５００ＭＨｚ，ＣＤＣｌ３）：δ０．７８（ｄ，３Ｈ，Ｊ＝６．３Ｈｚ），０．８１−０．８７（ｍ，１Ｈ），０．８９（ｓ，３Ｈ），１．００（ｓ，３Ｈ），１．０６−１．１４（ｍ，１Ｈ），１．３２−１．５５（ｍ，４Ｈ），１．６８−１．９０（ｍ，２Ｈ），３．４２（ｄｄｄ，１Ｈ，Ｊ＝５．３，７．４，１４．１Ｈｚ），３．６６（ｄｄｄ，１Ｈ，Ｊ＝３．３，６．６，１４．１Ｈｚ），３．９０−３．９７（ｍ，１Ｈ），４．８２−４．８６（ｍ，１Ｈ），５．９７（ｂｒ，１Ｈ），７．２４−７．２９（ｍ，１Ｈ），７．３１−７．３９（ｍ，４Ｈ）．【０１３５】
［実施例７］（１Ｓ，６Ｒ）−Ｎ−（（Ｓ）−２−ヒドロキシ−２−フェニルエチル）−２，２，６−トリメチルシクロヘキサン−１−カルボキサミド（例示化合物（１Ｓ，６Ｒ）−１０−６）合成【０１３６】
【化２８】
2019078185.tif 000030
【０１３７】
窒素雰囲気下にて５０ｍＬ二つ口フラスコに特許文献２９に記載の手法に従って得られた（１Ｓ，６Ｒ）−２，２，６−トリメチルシクロヘキサンカルボン酸（（１Ｓ，６Ｒ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて２０分撹拌した後、（Ｓ）−２−アミノ−１−フェニルエタノール（１．００ｇ、１．２０ｅｑ．）を添加し、室温にて１時間反応させた。酢酸エチル（１０ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル＝２／１）にて単離精製を行い、標記化合物（１．２７ｇ、収率７２％）を薄黄色アモルファス固体として得た。【０１３８】
ＨＲＭＳ：質量２９０．２１１５    実測値２９０．２１１３（［Ｍ＋Ｈ］＋）
１Ｈ−ＮＭＲ（５００ＭＨｚ，ＣＤＣｌ３）：δ０．８４（ｄ，３Ｈ，Ｊ＝６．３Ｈｚ），０．８５−０．９１（ｍ，１Ｈ），０．９１（ｓ，３Ｈ），０．９９（ｓ，３Ｈ），１．１１（ｄｔ，１Ｈ，Ｊ＝５．９，１２．８Ｈｚ），１．３６−１．５４（ｍ，４Ｈ），１．７０−１．７７（ｍ，１Ｈ），１．８２−１．９１（ｍ，１Ｈ），３．３６（ｄｑ，１Ｈ，Ｊ＝２．０，５．３Ｈｚ），３．７２−３．７９（ｍ，２Ｈ），４．８４−４．８９（ｍ，１Ｈ），５．８６（ｂｒ，１Ｈ），７．２４−７．２９（ｍ，１Ｈ），７．３２−７．３９（ｍ，４Ｈ）．【０１３９】
［実施例８］（１Ｒ，６Ｓ）−Ｎ−（４−ヒドロキシフェネチル）−２，２，６−トリメチルシクロヘキサン−１−カルボキサミド（例示化合物（１Ｒ，６Ｓ）−１０−８）の合成【０１４０】
【化２９】
2019078185.tif 000031
【０１４１】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。室温にてメタンスルホニルクロリド（０．５５ｍＬ、１．２０ｅｑ．）をゆっくりと滴下し、室温にて３０分撹拌した後、チラミン（０．９７ｇ、１．２０ｅｑ．）を添加し、室温にて１時間反応させた。酢酸エチル（１０ｍＬ）及びｎ−ブタノール（１０ｍＬ）で反応溶液を希釈した後、後処理として２Ｎ塩酸（３０ｍＬ）をゆっくりと添加した。油層を飽和重曹水（２０ｍＬ）で２回洗浄し、更に飽和食塩水（１５ｍＬ）で１回洗浄して、硫酸ナトリウムにて乾燥した。得られた溶液を減圧濃縮し、酢酸エチル／メタノールにて再結晶を行い、標記化合物（０．４５ｇ、収率２７％）を白色結晶として得た。【０１４２】
融点：１７８〜１８０℃
ＨＲＭＳ：質量２９０．２１１５    実測値２９０．２１１４（［Ｍ＋Ｈ］＋）
１Ｈ−ＮＭＲ（５００ＭＨｚ，ＤＭＳＯ−ｄ６）：δ０．６９（ｄ，３Ｈ，Ｊ＝６．３Ｈｚ），０．７５−０．８７（ｍ，４Ｈ），０．９０（ｓ，３Ｈ），１．０２−１．１１（ｍ，１Ｈ），１．２６−１．３２（ｍ，１Ｈ），１．４０−１．４７（ｍ，２Ｈ），１．５０（ｄ，１Ｈ，Ｊ＝１１．１Ｈｚ），１．６１−１．７６（ｍ，２Ｈ），２．５８（ｔ，２Ｈ，Ｊ＝６．７Ｈｚ），３．２２（ｄｔ，１Ｈ，Ｊ＝６．７，７．９Ｈｚ），６．６３−６．６８（ｍ，２Ｈ），６．９９（ｄ，２Ｈ，Ｊ＝８．５Ｈｚ），７．７２（ｂｒ，１Ｈ），９．１２（ｓ，１Ｈ）【０１４３】
［実施例９］（１Ｓ，６Ｒ）−Ｎ−（４−ヒドロキシフェネチル）−２，２，６−トリメチルシクロヘキサン−１−カルボキサミド（例示化合物（１Ｓ，６Ｒ）−１０−８）の合成【０１４４】
【化３０】
2019078185.tif 000032
【０１４５】
窒素雰囲気下にて５０ｍＬ二つ口フラスコに特許文献２９に記載の手法に従って得られた（１Ｓ，６Ｒ）−２，２，６−トリメチルシクロヘキサンカルボン酸（（１Ｓ，６Ｒ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて２０分撹拌した後、チラミン（０．９７ｇ、１．２０ｅｑ．）を添加し、室温にて１時間反応させた。酢酸エチル（１０ｍＬ）及びｎ−ブタノール（１０ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１５ｍＬ）で１回洗浄して、硫酸ナトリウムにて乾燥した。得られた溶液を減圧濃縮し、酢酸エチル／メタノールにて再結晶を行い、標記化合物（０．８４ｇ、収率４９％）を白色結晶として得た。【０１４６】
融点：１８０〜１８２℃
ＨＲＭＳ：質量２９０．２１１５    実測値２９０．２１１３（［Ｍ＋Ｈ］＋）
１Ｈ−ＮＭＲ（５００ＭＨｚ，ＤＭＳＯ−ｄ６）：δ０．６９（ｄ，３Ｈ，Ｊ＝６．３Ｈｚ），０．７５−０．８７（ｍ，４Ｈ），０．９０（ｓ，３Ｈ），１．０２−１．１１（ｍ，１Ｈ），１．２６−１．３２（ｍ，１Ｈ），１．４０−１．４７（ｍ，２Ｈ），１．５０（ｄ，１Ｈ，Ｊ＝１１．１Ｈｚ），１．６１−１．７６（ｍ，２Ｈ），２．５８（ｔ，２Ｈ，Ｊ＝６．７Ｈｚ），３．２２（ｄｔ，１Ｈ，Ｊ＝６．７，７．９Ｈｚ），６．６３−６．６８（ｍ，２Ｈ），６．９９（ｄ，２Ｈ，Ｊ＝８．５Ｈｚ），７．７２（ｂｒ，１Ｈ），９．１２（ｓ，１Ｈ）【０１４７】
［実施例１０］（１Ｒ，６Ｓ）−２，２，６−トリメチル−Ｎ−（２−オキソ−２−フェニルエチル）シクロヘキサン−１−カルボキサミド（例示化合物（１Ｒ）−１０−１０）及び（１Ｓ，  ６Ｓ）−２，２，６−トリメチル−Ｎ−（２−オキソ−２−フェニルエチル）シクロヘキサン−１−カルボキサミド（例示化合物（１Ｓ）−１０−１０）の合成【０１４８】
【化３１】
2019078185.tif 000033
【０１４９】
【化３２】
2019078185.tif 000034
【０１５０】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４ｅｑ．）及びアセトニトリル（１０ｍＬ）を添加した。室温にてメタンスルホニルクロリド（０．５５ｍＬ、１．２ｅｑ．）をゆっくりと滴下し、室温にて５時間撹拌した後、フェナシルアミン塩酸塩（１．１１ｇ、１．１ｅｑ．）及びトリエチルアミン（０．９８ｍＬ、１．２ｅｑ．）を添加し、室温にて４５分反応させた。酢酸エチル（１５ｍＬ）で反応溶液を希釈した後、後処理としてゆっくりと２Ｎ塩酸（１５ｍＬ）を添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、カラムクロマトグラフィー（ヘキサン／酢酸エチル＝２／１）にて単離精製を行い、例示化合物（１Ｒ）−１０−１０（０．８１ｇ、収率５８％）を白色固体として、また、例示化合物（１Ｓ）−１０−１０（０．２２ｇ、収率１３％）をアモルファス固体として得た。【０１５１】
例示化合物（１Ｒ）−１０−１０
融点：８５〜８７℃
ＨＲＭＳ：質量２８８．１９５８    実測値２８８．１９７２（［Ｍ＋Ｈ］＋）
１Ｈ−ＮＭＲ（５００ＭＨｚ，ＣＤＣｌ３）：δ０．８６（ｄ，３Ｈ，Ｊ＝６．４Ｈｚ），０．８６−０．９８（ｍ，１Ｈ），０．９８（ｓ，３Ｈ），１．０４（ｓ，３Ｈ），１．１９（ｄｔ，１Ｈ，Ｊ＝１２．８，５．０Ｈｚ），１．３９−１．４５（ｍ，２Ｈ），１．４９−１．５８（ｍ，２Ｈ），１．６３（ｄ，１Ｈ，Ｊ＝１１．１Ｈｚ），１．７３−１．７９（ｍ，１Ｈ），１．８４−１．９７（ｍ，１Ｈ），４．８０（ｄ，２Ｈ，Ｊ＝４．３Ｈｚ），６．４７（ｂｒ，１Ｈ），７．４８−７．５３（ｍ，２Ｈ），７．６０−７．６５（ｍ，１Ｈ），７．９６−８．０２（ｍ，２Ｈ）．【０１５２】
例示化合物（１Ｓ）−１０−１０
ＨＲＭＳ：質量２８８．１９５８    実測値２８８．１９４５（［Ｍ＋Ｈ］＋）
１Ｈ−ＮＭＲ（５００ＭＨｚ，ＣＤＣｌ３）：δ０．８９（ｄ，３Ｈ，Ｊ＝６．３Ｈｚ），０．９３（ｓ，３Ｈ），１．０２（ｓ，３Ｈ），１．０９−１．１４（ｍ，１Ｈ），１．３４−１．５２（ｍ，２Ｈ），１．５９−２．００（ｍ，５Ｈ），４．７５（ｄ，２Ｈ，Ｊ＝４．０Ｈｚ），６．４８（ｂｒ，１Ｈ），７．４８−７．５３（ｍ，２Ｈ），７．５８−７．６５（ｍ，１Ｈ），７．９６−８．０１（ｍ，２Ｈ）．【０１５３】
［実施例１１］（１Ｓ，６Ｒ）−２，２，６−トリメチル−Ｎ−（２−オキソ−２−フェニルエチル）シクロヘキサン−１−カルボキサミド（例示化合物（１Ｓ）−１０−１１）及び（１Ｒ，６Ｒ）−２，２，６−トリメチル−Ｎ−（２−オキソ−２−フェニルエチル）シクロヘキサン−１−カルボキサミド（例示化合物（１Ｒ）−１０−１１）の合成【０１５４】
【化３３】
2019078185.tif 000035
【０１５５】
【化３４】
2019078185.tif 000036
【０１５６】
窒素雰囲気下にて５０ｍＬ二つ口フラスコに特許文献２９に記載の手法に従って得られた（１Ｓ，６Ｒ）−２，２，６−トリメチルシクロヘキサンカルボン酸（（１Ｓ，６Ｒ）−５）（１．００ｇ、５．８７ｍｍｏｌ）、トリエチルアミン（１．９５ｍＬ、２．４ｅｑ．）及びアセトニトリル（１０ｍＬ）を添加した。室温にてメタンスルホニルクロリド（０．５５ｍＬ、１．２ｅｑ．）をゆっくりと滴下し、室温にて５時間撹拌した後、フェナシルアミン塩酸塩（１．１１ｇ、１．１ｅｑ．）及びトリエチルアミン（０．９８ｍＬ、１．２ｅｑ．）を添加し、室温にて４５分反応させた。酢酸エチル（１５ｍＬ）で反応溶液を希釈した後、後処理としてゆっくりと２Ｎ塩酸（１５ｍＬ）を添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、カラムクロマトグラフィー（ヘキサン／酢酸エチル＝２／１）にて単離精製を行い、例示化合物（１Ｓ）−１０−１１（０．５８ｇ、収率３４％）を白色固体として、また、例示化合物（１Ｒ）−１０−１１（０．２９ｇ、収率１７％）をアモルファス固体として得た。【０１５７】
例示化合物（１Ｓ）−１０−１１
融点：８６〜８７℃
ＨＲＭＳ：質量２８８．１９５８    実測値２８８．１９３４（［Ｍ＋Ｈ］＋）
１Ｈ−ＮＭＲ（５００ＭＨｚ，ＣＤＣｌ３）：δ０．８６（ｄ，３Ｈ，Ｊ＝６．４Ｈｚ），０．８６−０．９８（ｍ，１Ｈ），０．９８（ｓ，３Ｈ），１．０４（ｓ，３Ｈ），１．１９（ｄｔ，１Ｈ，Ｊ＝１２．８，５．０Ｈｚ），１．３７−１．４５（ｍ，２Ｈ），１．４９−１．５８（ｍ，２Ｈ），１．６３（ｄ，１Ｈ，Ｊ＝１１．１Ｈｚ），１．７３−１．７９（ｍ，１Ｈ），１．８５−１．９７（ｍ，１Ｈ），４．８０（ｄ，２Ｈ，Ｊ＝４．３Ｈｚ），６．４７（ｂｒ，１Ｈ），７．４８−７．５３（ｍ，２Ｈ），７．６０−７．６５（ｍ，１Ｈ），７．９６−８．０１（ｍ，２Ｈ）．【０１５８】
例示化合物（１Ｒ）−１０−１１
ＨＲＭＳ：質量２８８．１９５８    実測値２８８．１９９０（［Ｍ＋Ｈ］＋）
１Ｈ−ＮＭＲ（５００ＭＨｚ，ＣＤＣｌ３）：δ０．８９（ｄ，３Ｈ，Ｊ＝６．３Ｈｚ），０．９３（ｓ，３Ｈ），１．０２（ｓ，３Ｈ），１．０９−１．１４（ｍ，１Ｈ），１．３４−１．５２（ｍ，２Ｈ），１．５９−１．９８（ｍ，５Ｈ），４．７５（ｄ，２Ｈ，Ｊ＝４．０Ｈｚ），６．４８（ｂｒ，１Ｈ），７．４６−７．５３（ｍ，２Ｈ），７．５８−７．６５（ｍ，１Ｈ），７．９４−８．０２（ｍ，２Ｈ）．【０１５９】
［実施例１２］（１Ｒ，６Ｓ）−Ｎ−（４−メトキシフェネチル）−２，２，６−トリメチルシクロヘキサン−１−カルボキサミド（例示化合物（１Ｒ，６Ｓ）−１０−１２）の合成【０１６０】
【化３５】
2019078185.tif 000037
【０１６１】
窒素雰囲気下にて１００ｍＬ四つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、塩化チオニル（０．４７ｍＬ、１．１０ｅｑ．）、トルエン（１０ｍＬ）及びＤＭＦ（ジメチルホルムアミド）数滴を添加し、室温にて１時間撹拌させた。系内に４−（メトキシフェニル）エチルアミン（０．９５ｍＬ、１．１０ｅｑ．）とトリエチルアミン（１ｍＬ）にトルエン（５ｍＬ）を加えて調製した溶液をゆっくりと加えた。６０℃で２時間半撹拌し、反応溶液を分液漏斗に移し、希塩酸と酢酸エチルを添加して洗浄した。油層を希塩酸で１回洗浄し、更に飽和食塩水で一回洗浄して、無水硫酸マグネシウムにて乾燥した。得られた溶液を減圧濃縮し、ヘプタン／酢酸エチルにて再結晶を行い、標記化合物（０．８７ｇ、収率５０％）を白色固体として得た。【０１６２】
融点：７５〜７７℃
ＨＲＭＳ：質量３０４．２２７１    実測値３０４．２２９９（［Ｍ＋Ｈ］＋）
１Ｈ−ＮＭＲ（５００ＭＨｚ，ＣＤＣｌ３）：δ０．８０（ｄ，３Ｈ，Ｊ＝６．４Ｈｚ），０．８１−０．８７（ｍ，１Ｈ），０．８８（ｓ，３Ｈ），１．００（ｓ，３Ｈ），１．０９（ｄｔ，１Ｈ，Ｊ＝１２．７，５．０Ｈｚ），１．２９（ｄ，１Ｈ，Ｊ＝１１．１Ｈｚ），１．３４−１．３８（ｍ，１Ｈ），１．４２−１．５４（ｍ，２Ｈ），１．６８−１．９０（ｍ，２Ｈ），２．７５（ｔ，２Ｈ，Ｊ＝６．９Ｈｚ），３．４５−３．６０（ｍ，２Ｈ），３．７９（ｂｒ，３Ｈ），６．８０−６．８６（ｍ，２Ｈ），７．１０−７．１４（ｍ，２Ｈ）．【０１６３】
［実施例１３］（１Ｒ，６Ｓ）−Ｎ−（２−メトキシフェネチル）−２，２，６−トリメチルシクロヘキサン−１−カルボキサミド（例示化合物（１Ｒ，６Ｓ）−１０−１３）の合成【０１６４】
【化３６】
2019078185.tif 000038
【０１６５】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて１５分撹拌した後、２−（２−メトキシフェニル）エチルアミン（１．０３ｍＬ、１．２０ｅｑ．）を添加し、室温にて１時間反応させた。酢酸エチル（１５ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘキサンにて再結晶を行い、標記化合物（１．３３ｇ、収率７５％）を薄黄色結晶として得た。【０１６６】
融点：９８〜１０２℃
ＨＲＭＳ：質量３０４．２２７１    実測値３０４．２２７６（［Ｍ＋Ｈ］＋）
１Ｈ−ＮＭＲ（５００ＭＨｚ，ＣＤＣｌ３）：δ０．７７（ｄ，３Ｈ，Ｊ＝６．４Ｈｚ），０．８１−０．８５（ｍ，１Ｈ），０．８５（ｓ，３Ｈ），０．９８（ｓ，３Ｈ），１．０８（ｄｔ，１Ｈ，Ｊ＝５．２，１２．９Ｈｚ），１．２９（ｄ，１Ｈ，Ｊ＝１１．１Ｈｚ），１．３２−１．３９（ｍ，１Ｈ），１．４４−１．５３（ｍ，２Ｈ），１．６４−１．７５（ｍ，１Ｈ），１．７８−１．８７（ｍ，１Ｈ），２．８３（ｔ，２Ｈ，Ｊ＝６．８Ｈｚ），３．４５−３．５８（ｍ，２Ｈ），３．８４（ｓ，３Ｈ），５．５５（ｂｒ，１Ｈ），６．８５−７．０２（ｍ，２Ｈ），７．１５（ｄｄ，１Ｈ，Ｊ＝１．４，７．５Ｈｚ），７．２１（ｄｔ，１Ｈ，Ｊ＝１．８，７．８Ｈｚ）．【０１６７】
［実施例１４］（１Ｒ，６Ｓ）−Ｎ−（３，４−ジヒドロキシフェネチル）−２，２，６−トリメチルシクロヘキサン−１−カルボキサミド（例示化合物（１Ｒ，６Ｓ）−１０−１４）の合成【０１６８】
【化３７】
2019078185.tif 000039
【０１６９】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（６．５３ｍＬ、４．０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて１５分撹拌した後、ドパミン塩酸塩（１．２３ｇ、１．１０ｅｑ．）を添加し、５０℃にて１時間反応させた。酢酸エチル（１５ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シカラムクロマトグラフィー（酢酸エチル／メタノール＝１０／０〜１０／１）で単離精製し、標記化合物（１．２８ｇ、収率７１％）をアモルファス状個体として得た。【０１７０】
ＨＲＭＳ：質量３０６．２０６１    実測値３０６．２０６４（［Ｍ＋Ｈ］＋）
１Ｈ−ＮＭＲ（５００ＭＨｚ，ＤＭＳＯ−ｄ６）：δ０．７０（ｄ，３Ｈ，Ｊ＝６．３Ｈｚ），０．７６−０．８５（ｍ，５Ｈ），０．８６−０．９３（ｍ，４Ｈ），１．０１−１．１１（ｍ，１Ｈ），１．２６−１．３３（ｍ，１Ｈ），１．３９−１．４７（ｍ，２Ｈ），１．５０（ｄ，１Ｈ，Ｊ＝１１．０Ｈｚ），１．６１−１．７５（ｍ，２Ｈ），３．１４−３．２２（ｍ，２Ｈ），６．４３（ｄｄ，１Ｈ，Ｊ＝８．０，２．０Ｈｚ），６．５７（ｄ，１Ｈ，Ｊ＝１．９Ｈｚ），６．６１（ｄ，１Ｈ，Ｊ＝７．９Ｈｚ），７．７１（ｂｒ，１Ｈ），８．６０（ｓ，１Ｈ），８．６８（ｓ，１Ｈ）．【０１７１】
［実施例１５］（１Ｒ，６Ｓ）−Ｎ−（３，４−ジメトキシフェネチル）−２，２，６−トリメチルシクロヘキサン−１−カルボキサミド（例示化合物（１Ｒ，６Ｓ）−１０−１５）の合成【０１７２】
【化３８】
2019078185.tif 000040
【０１７３】
窒素雰囲気下にて１００ｍＬ四つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００、５．８７ｍｍｏｌ）、塩化チオニル（０．４７ｍＬ、１．１０ｅｑ．）、トルエン（１０ｍＬ）及びＤＭＦ（ジメチルホルムアミド）数滴を添加し、室温にて１時間撹拌させた。系内にホモベラトリルアミン（１．３５ｍＬ、１．１０ｅｑ．）とトリエチルアミン（１ｍＬ）にトルエン（５ｍＬ）を加えて調製した溶液をゆっくりと加えた。２時間半後に反応溶液を分液漏斗に移し、希塩酸と酢酸エチルを添加して洗浄した。油層を希塩酸で１回洗浄し、更に飽和食塩水で一回洗浄して、無水硫酸マグネシウムにて乾燥した。得られた溶液を減圧濃縮し、ヘプタン／酢酸エチルにて再結晶を行い、標記化合物（１．５５ｇ、収率７９％）を白色結晶として得た。【０１７４】
融点：９３〜９６℃
ＨＲＭＳ：質量３５６．２１９６    実測値３５６．２２０３（［Ｍ＋Ｎａ］＋）
１Ｈ−ＮＭＲ（５００ＭＨｚ，ＣＤＣｌ３）：δ０．８０（ｄ，３Ｈ，Ｊ＝６．４Ｈｚ），０．８１−０．８７（ｍ，１Ｈ），０．８８（ｓ，３Ｈ），１．００（ｓ，３Ｈ），１．０９（ｄｔ，１Ｈ，Ｊ＝１２．７，５．０Ｈｚ），１．３１（ｄ，１Ｈ，Ｊ＝１１．１Ｈｚ），１．３４−１．３８（ｍ，１Ｈ），１．４２−１．５４（ｍ，２Ｈ），１．６８−１．９０（ｍ，２Ｈ），２．７６（ｔ，２Ｈ，Ｊ＝７．０Ｈｚ），３．５５−３．６０（ｍ，２Ｈ），３．８６（ｂｒ，６Ｈ），６．７０−６．８３（ｍ，３Ｈ）．【０１７５】
［実施例１６］（１Ｒ，６Ｓ）−Ｎ−（２−（１Ｈ−インドール−３−イル）エチル）−２，２，６−トリメチルシクロヘキサン−１−カルボキサミド（例示化合物（１Ｒ，６Ｓ）−１０−１９）の合成【０１７６】
【化３９】
2019078185.tif 000041
【０１７７】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて１５分撹拌した後、トリプタミン（０．９７ｇ、１．２０ｅｑ．）を添加し、室温にて１時間反応させた。酢酸エチル（１５ｍＬ）で反応溶液を希釈した後、後処理として水（１０ｍＬ）及び飽和塩化アンモニウム水溶液（１０ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル＝２／１）にて単離精製を行い、標記化合物（０．９６ｇ、収率５２％）を白色結晶として得た。【０１７８】
融点：１３２〜１３５℃
ＨＲＭＳ：質量３１３．２２７４    実測値３１３．２２７６（［Ｍ＋Ｈ］＋）
１Ｈ−ＮＭＲ（５００ＭＨｚ，ＣＤＣｌ３）：δ０．８０（ｄ，３Ｈ，Ｊ＝６．４Ｈｚ），０．８０−０．８６（ｍ，１Ｈ），０．８７（ｓ，３Ｈ），１．００（ｓ，３Ｈ），１．０７（ｄｔ，１Ｈ，Ｊ＝５．０，１２．９Ｈｚ），１．２９（ｄ，１Ｈ，Ｊ＝１１．１Ｈｚ），１．３２−１．３８（ｍ，１Ｈ），１．４３−１．５４（ｍ，２Ｈ），１．６７−１．７４（ｍ，１Ｈ），１．７８−１．９０（ｍ，１Ｈ），２．９８（ｔ，２Ｈ，Ｊ＝６．８Ｈｚ），３．６７−３．７１（ｍ，２Ｈ），５．５８（ｂｒ，１Ｈ），７．０２（ｄ，１Ｈ，Ｊ＝２．３Ｈｚ），７．１２（ｄｔ，１Ｈ，Ｊ＝１．０，７．０Ｈｚ），７．２０（ｄｔ，１Ｈ，Ｊ＝１．０，７．１Ｈｚ），７．３７（ｄｔ，１Ｈ，Ｊ＝０．９，８．０Ｈｚ），７．６１（ｄｄ，１Ｈ，Ｊ＝０．５，８．０Ｈｚ），８．２７（ｂｒ，１Ｈ）．【０１７９】
［実施例１７］（１Ｒ，６Ｓ）−２，２，６−トリメチル−Ｎ−（２−ピリジニルメチル）シクロヘキサン−１−カルボキサミド（例示化合物（１Ｒ，６Ｓ）−１０−２２）の合成【０１８０】
【化４０】
2019078185.tif 000042
【０１８１】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて２０分撹拌した後、２−（２−アミノメチル）ピリジン（０．７２ｍＬ、１．２０ｅｑ．）をゆっくりと添加し、室温にて１時間反応させた。酢酸エチル（１０ｍＬ）で反応溶液を希釈した後、後処理として水（１０ｍＬ）及び飽和塩化アンモニウム水溶液（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘキサンにて再結晶を行い、標記化合物（０．８９ｇ、収率５８％）を白色結晶として得た。【０１８２】
融点：９５〜９６℃
ＨＲＭＳ：質量２６１．１９６１    実測値２６１．１９６２（［Ｍ＋Ｈ］＋）
１Ｈ−ＮＭＲ（５００ＭＨｚ，ＣＤＣｌ３）：δ０．８２（ｄ，３Ｈ，Ｊ＝６．４Ｈｚ），０．８４−０．９２（ｍ，１Ｈ），０．８８（ｓ，３Ｈ），１．０４（ｓ，３Ｈ），１．１６（ｄｔ，１Ｈ，Ｊ＝５．０，１３．０Ｈｚ），１．３６−１．４３（ｍ，１Ｈ），１．４５−１．５４（ｍ，２Ｈ），１．５６（ｄ，１Ｈ，Ｊ＝１１．２Ｈｚ），１．７１−１．７７（ｍ，１Ｈ），１．８５−１．９５（ｍ，１Ｈ），４．５４（ｄｄ，１Ｈ，Ｊ＝５．０，１６．１Ｈｚ），４．６０（ｄｄ，１Ｈ，Ｊ＝５．２，１６．１Ｈｚ），６．６６（ｂｒ，１Ｈ），７．１７−７．２１（ｍ，１Ｈ），７．２９（ｄ，１Ｈ，Ｊ＝７．８Ｈｚ），７．６５（ｄｔ，１Ｈ，Ｊ＝１．８，７．８Ｈｚ），８．５１−８．５４（ｍ，１Ｈ）．【０１８３】
［実施例１８］（１Ｒ，６Ｓ）−２，２，６−トリメチル−Ｎ−（２−ピリジニルエチル）シクロヘキサン−１−カルボキサミド（例示化合物（１Ｒ，６Ｓ）−１０−２３）の合成【０１８４】
【化４１】
2019078185.tif 000043
【０１８５】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて２０分撹拌した後、２−（２−アミノエチル）ピリジン（０．８４ｍＬ、１．２０ｅｑ．）をゆっくりと添加し、室温にて３０分反応させた。酢酸エチル（１０ｍＬ）で反応溶液を希釈した後、後処理として飽和塩化アンモニウム水溶液（２０ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘキサンにて再結晶を行い、標記化合物（１．０４ｇ、収率６４％）を黄色結晶として得た。【０１８６】
融点：９１〜９６℃
ＨＲＭＳ：質量２７５．２１１８    実測値２７５．２１１８（［Ｍ＋Ｈ］＋）
１Ｈ−ＮＭＲ（５００ＭＨｚ，ＣＤＣｌ３）：δ０．８６（ｄ，３Ｈ，Ｊ＝６．４Ｈｚ），０．７８−０．８９（ｍ，１Ｈ），０．８４（ｓ，３Ｈ），０．９８（ｓ，３Ｈ），１．１０（ｄｔ，１Ｈ，Ｊ＝５．１，１２．９Ｈｚ），１．３３−１．４８（ｍ，２Ｈ），１．４４−１．５３（ｍ，２Ｈ）），１．６７−１．７５（ｍ，１Ｈ），１．７８−１．８８（ｍ，１Ｈ），３．００（ｔ，２Ｈ，Ｊ＝６．４Ｈｚ），３．６３−３．７４（ｍ，２Ｈ），６．２５（ｂｒ，１Ｈ），７．１１−７．１７（ｍ，１Ｈ），７．１８（ｄ，１Ｈ，Ｊ＝７．８Ｈｚ），７．６０（ｄｔ，１Ｈ，Ｊ＝１．９，７．８Ｈｚ），８．５１−８．５４（ｍ，１Ｈ）．【０１８７】
［実施例１９］（１Ｒ，６Ｓ）−２，２，６−トリメチル−Ｎ−（２−チオフェニルメチル）シクロヘキサン−１−カルボキサミド（例示化合物（１Ｒ，６Ｓ）−１０−２６）の合成【０１８８】
【化４２】
2019078185.tif 000044
【０１８９】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。室温にてメタンスルホニルクロリド（０．５５ｍＬ、１．２０ｅｑ．）をゆっくりと滴下し、室温にて２５分撹拌した後、２−（アミノメチル）チオフェン（０．５９ｍＬ、１．２０ｅｑ．）をゆっくりと添加し、室温にて１時間半反応させた。酢酸エチル（１０ｍＬ）で反応溶液を希釈した後、後処理として２Ｎ塩酸（１０ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘキサンにて再結晶を行い、標記化合物（１．１４ｇ、収率７３％）を薄黄色固体として得た。【０１９０】
融点：８８〜９０℃
ＨＲＭＳ：質量２６６．１５７３    実測値２６６．１５７７（［Ｍ＋Ｈ］＋）
１Ｈ−ＮＭＲ（５００ＭＨｚ，ＣＤＣｌ３）：δ０．８４（ｄ，３Ｈ，Ｊ＝６．３Ｈｚ），０．８５−０．９２（ｍ，１Ｈ），０．９４（ｓ，３Ｈ），１．０６（ｓ，３Ｈ），１．１２（ｄｔ，１Ｈ，Ｊ＝５．１，１２．９Ｈｚ），１．３６−１．４４（ｍ，２Ｈ），１．４６−１．５５（ｍ，２Ｈ），１．７１−１．７８（ｍ，１Ｈ），１．８４−１．９５（ｍ，１Ｈ），４．６０（ｄｄ，１Ｈ，Ｊ＝５．５，１５．２Ｈｚ），４．６６（ｄｄ，１Ｈ，Ｊ＝５．７，１５．２Ｈｚ），５．５５（ｂｒ，１Ｈ），６．９２−６．９８（ｍ，２Ｈ），７．１８−７．２４（ｍ，１Ｈ）．【０１９１】
［実施例２０］（１Ｓ，６Ｒ）−２，２，６−トリメチル−Ｎ−（２−チオフェニルメチル）シクロヘキサン−１−カルボキサミド（例示化合物（１Ｓ，６Ｒ）−１０−２６）の合成【０１９２】
【化４３】
2019078185.tif 000045
【０１９３】
窒素雰囲気下にて５０ｍＬ二つ口フラスコに特許文献２９に記載の手法に従って得られた（１Ｓ，６Ｒ）−２，２，６−トリメチルシクロヘキサンカルボン酸（（１Ｓ，６Ｒ）−５）（１．００ｇ、５．８７ｍｍｏｌ）、トリエチルアミン（１．９５ｍＬ、２．４ｅｑ．）及びアセトニトリル（１０ｍＬ）を添加した。室温にてメタンスルホニルクロリド（０．５５ｍＬ、１．２ｅｑ．）をゆっくりと滴下し、室温にて２０分撹拌した後、２−（２−アミノメチル）チオフェン（０．５９ｍＬ、１．２ｅｑ．）を添加し、室温にて４５分反応させた。酢酸エチル（１５ｍＬ）で反応溶液を希釈した後、後処理としてゆっくりと２Ｎ塩酸（１５ｍＬ）を添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘプタン／酢酸エチルにて再結晶を行い、標記化合物（０．９５ｇ、収率６１％）を白色固体として得た。【０１９４】
融点：８８〜９０℃
ＨＲＭＳ：質量２６６．１５７３    実測値２６６．１５６２（［Ｍ＋Ｈ］＋）
１Ｈ−ＮＭＲ（５００ＭＨｚ，ＣＤＣｌ３）：δ０．８４（ｄ，３Ｈ，Ｊ＝６．４Ｈｚ），０．８５−０．９２（ｍ，１Ｈ），０．９３（ｓ，３Ｈ），１．０４（ｓ，３Ｈ），１．１２（ｄｔ，１Ｈ，Ｊ＝１２．８，５．０Ｈｚ），１．３６−１．４２（ｍ，２Ｈ），１．４５−１．６０（ｍ，２Ｈ），１．７０−１．７８（ｍ，１Ｈ），１．８４−１．９５（ｍ，１Ｈ），４．５６−４．６９（ｍ，２Ｈ），５．６９（ｂｒ，１Ｈ），６．９１−６．９８（ｍ，２Ｈ），７．１９−７．２３（ｍ，１Ｈ）．【０１９５】
［実施例２１］（１Ｒ，６Ｓ）−２，２，６−トリメチル−Ｎ−（３−チオフェニルメチル）シクロヘキサン−１−カルボキサミド（例示化合物（１Ｒ，６Ｓ）−１０−２７）の合成【０１９６】
【化４４】
2019078185.tif 000046
【０１９７】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて２０分撹拌した後、３−チオフェンメチルアミン（０．５９ｍＬ、１．２０ｅｑ．）をゆっくりと添加し、室温にて１時間反応させた。酢酸エチル（１５ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘキサンにて再結晶を行い、標記化合物（１．１２ｇ、収率７７％）を薄黄色固体として得た。【０１９８】
融点：８２〜８４℃
ＨＲＭＳ：質量２６６．１５７３    実測値２６６．１５７１（［Ｍ＋Ｈ］＋）
１Ｈ−ＮＭＲ（５００ＭＨｚ，ＣＤＣｌ３）：δ０．８４（ｄ，３Ｈ，Ｊ＝６．３Ｈｚ），０．８５−０．９２（ｍ，１Ｈ），０．９３（ｓ，３Ｈ），１．０３（ｓ，３Ｈ），１．１２（ｄｔ，１Ｈ，Ｊ＝５．１，１３．０Ｈｚ），１．３５−１．４３（ｍ，２Ｈ），１．４６−１．５５（ｍ，２Ｈ），１．６６−１．７７（ｍ，１Ｈ），１．８４−１．９５（ｍ，１Ｈ），４．４２（ｄｄ，１Ｈ，Ｊ＝５．６，１４．９Ｈｚ），４．５０（ｄｄ，１Ｈ，Ｊ＝５．９，１４．９Ｈｚ），５．６７（ｂｒ，１Ｈ），７．０３（ｄ，１Ｈ，Ｊ＝５．０Ｈｚ），７．１２−７．１６（ｍ，１Ｈ），７．２８（ｄｄ，１Ｈ，Ｊ＝３．０，５．０Ｈｚ）．【０１９９】
［実施例２２］（１Ｒ，６Ｓ）−２，２，６−トリメチル−Ｎ−（２−チオフェニルエチル）シクロヘキサン−１−カルボキサミド（例示化合物（１Ｒ，６Ｓ）−１０−２８）の合成【０２００】
【化４５】
2019078185.tif 000047
【０２０１】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。室温にてメタンスルホニルクロリド（０．５５ｍＬ、１．２０ｅｑ．）をゆっくりと滴下し、室温にて１５分撹拌した後、２−（アミノエチル）チオフェン（０．６９ｍＬ、１．２０ｅｑ．）をゆっくりと添加し、室温にて１時間反応させた。酢酸エチル（１０ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘキサンにて再結晶を行い、標記化合物（１．１１ｇ、収率６７％）を薄茶色固体として得た。【０２０２】
融点：８３〜８６℃
ＨＲＭＳ：質量２８０．１７３０    実測値２８０．１７３０（［Ｍ＋Ｈ］＋）
１Ｈ−ＮＭＲ（５００ＭＨｚ，ＣＤＣｌ３）：δ０．８１（ｄ，３Ｈ，Ｊ＝６．３Ｈｚ），０．８１−０．８８（ｍ，１Ｈ），０．８８（ｓ，３Ｈ），１．０１（ｓ，３Ｈ），１．１０（ｄｔ，１Ｈ，Ｊ＝４．８，１２．４Ｈｚ），１．３６（ｔ，２Ｈ，Ｊ＝１２．４Ｈｚ），１．４４−１．５５（ｍ，２Ｈ），１．６６−１．９２（ｍ，２Ｈ），３．０４（ｔ，２Ｈ，Ｊ＝９．７Ｈｚ），３．４７−３．６４（ｍ，２Ｈ），５．５８（ｂｒ，１Ｈ），６．８１−６．９７（ｍ，２Ｈ），７．１５（ｄ，１Ｈ，Ｊ＝５．０Ｈｚ）．【０２０３】
［実施例２３］（１Ｓ，６Ｒ）−２，２，６−トリメチル−Ｎ−（２−チオフェニルエチル）シクロヘキサン−１−カルボキサミド（例示化合物（１Ｓ，６Ｒ）−１０−２８）の合成【０２０４】
【化４６】
2019078185.tif 000048
【０２０５】
窒素雰囲気下にて５０ｍＬ二つ口フラスコに特許文献２９に記載の手法に従って得られた（１Ｓ，６Ｒ）−２，２，６−トリメチルシクロヘキサンカルボン酸（（１Ｓ，６Ｒ）−５）（１．００ｇ、５．８７ｍｍｏｌ）、トリエチルアミン（１．９５ｍＬ、２．４ｅｑ．）及びアセトニトリル（１０ｍＬ）を添加した。室温にてメタンスルホニルクロリド（０．５５ｍＬ、１．２ｅｑ．）をゆっくりと滴下し、室温にて２０分撹拌した後、２−（２−アミノエチル）チオフェン（０．７１ｍＬ、１．２ｅｑ．）を添加し、室温にて４５分反応させた。酢酸エチル（１５ｍＬ）で反応溶液を希釈した後、後処理としてゆっくりと２Ｎ塩酸（１５ｍＬ）を添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘプタン／酢酸エチルにて再結晶を行い、標記化合物（０．９５ｇ、収率６１％）を白色固体として得た。【０２０６】
融点：８５〜８６℃
ＨＲＭＳ：質量２８０．１７３０    実測値２８０．１７４０（［Ｍ＋Ｈ］＋）
１Ｈ−ＮＭＲ（５００ＭＨｚ，ＣＤＣｌ３）：δ０．８１（ｄ，３Ｈ，Ｊ＝６．４Ｈｚ），０．８３−０．８９（ｍ，１Ｈ），０．８９（ｓ，３Ｈ），１．００（ｓ，３Ｈ），１．１０（ｄｔ，１Ｈ，Ｊ＝１２．８，５．０Ｈｚ），１．３２−１．４０（ｍ，２Ｈ），１．４５−１．５６（ｍ，２Ｈ），１．６８−１．７５（ｍ，１Ｈ），１．８１−１．８９（ｍ，１Ｈ），２．９９−３．０７（ｍ，２Ｈ），３．４９−３．６４（ｍ，２Ｈ），５．４８（ｂｒ，１Ｈ），６．８４（ｄｄ，１Ｈ，Ｊ＝３．３，０．９Ｈｚ），６．９４（ｄｄ，１Ｈ，Ｊ＝５．１，３．４Ｈｚ），７．１６（ｄｄ，１Ｈ，Ｊ＝５．３，１．１Ｈｚ）．【０２０７】
［実施例２４］（１Ｒ，６Ｓ）−Ｎ−（４−ヒドロキシフェニル）−２，２，６−トリメチルシクロヘキサン−１−カルボキサミド（例示化合物（１Ｒ，６Ｓ）−１０−３３）の合成【０２０８】
【化４７】
2019078185.tif 000049
【０２０９】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（２．００ｇ、１１．７ｍｍｏｌ）、トリエチルアミン（３．８０ｍＬ、２．４０ｅｑ．）及びアセトニトリル（１０ｍＬ）を添加した。系内を氷浴にて０〜５℃に冷却し、メタンスルホニルクロリド（１．１０ｍＬ、１．２０ｅｑ．）を滴下した。室温にて２０分撹拌した後、４−アミノフェノール（１．５４ｇ、１．２０ｅｑ．）を添加し、室温にて１時間反応させた。酢酸エチル（１５ｍＬ）で反応溶液を希釈した後、後処理として２Ｎ塩酸（２０ｍＬ）をゆっくりと添加した。油層を飽和重曹水（２０ｍＬ）で２回洗浄し、更に飽和食塩水（１５ｍＬ）で１回洗浄して、硫酸ナトリウムにて乾燥した。得られた溶液を減圧濃縮し、ヘキサン／酢酸エチルにて再結晶を行い、標記化合物（１．４０ｇ、収率４６％）を白色固体として得た。【０２１０】
融点：１００〜１０５℃
ＨＲＭＳ：質量２６２．１８０２    実測値２６２．１８０４（［Ｍ＋Ｈ］＋）
１Ｈ−ＮＭＲ（５００ＭＨｚ，ＤＭＳＯ−ｄ６）：δ０．７９（ｄ，３Ｈ，Ｊ＝６．０Ｈｚ），０．８２−０．９２（ｍ，１Ｈ），０．９２（ｓ，３Ｈ），０．９６（ｓ，３Ｈ），１．１０−１．１７（ｍ，１Ｈ），１．３２−１．３８（ｍ，１Ｈ），１．４３−１．５２（ｍ，２Ｈ），１．６７−１．８４（ｍ，３Ｈ），２．４８−２．５２（ｍ，１Ｈ），６．６３−６．６８（ｍ，２Ｈ），７．３１−７．３７（ｍ，２Ｈ），９．４７（ｂｒ，１Ｈ）．【０２１１】
［実施例２５］（１Ｒ，６Ｓ）−Ｎ−（４−メトキシフェニル）−２，２，６−トリメチルシクロヘキサン−１−カルボキサミド（例示化合物（１Ｒ，６Ｓ）−１０−３５）の合成【０２１２】
【化４８】
2019078185.tif 000050
【０２１３】
窒素雰囲気下にて１００ｍＬ四つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、塩化チオニル（０．４７ｍＬ、１．１０ｅｑ．）、トルエン（１０ｍＬ）及びＤＭＦ（ジメチルホルムアミド）数滴を添加し、室温にて１時間撹拌させた。系内にｐ−アニシジン（２．１７ｇ、３．０ｅｑ．）にトルエン（５ｍＬ）を加えて調製した溶液をゆっくりと加えた。９０℃にて５時間後に反応溶液を分液漏斗に移し、希塩酸と酢酸エチルを添加して洗浄した。油層を希塩酸で１回洗浄し、更に飽和食塩水で一回洗浄して、無水硫酸マグネシウムにて乾燥した。得られた溶液を減圧濃縮し、ヘプタン／酢酸エチルにて再結晶を行い、標記化合物（１．０７ｇ、収率６６％）を白色結晶として得た。【０２１４】
融点：１４３〜１４４℃
ＨＲＭＳ：質量２７６．１９５８    実測値２７６．１９８５（［Ｍ＋Ｈ］＋）
１Ｈ−ＮＭＲ（５００ＭＨｚ，ＣＤＣｌ３）：δ０．８０（ｄ，３Ｈ，Ｊ＝６．４Ｈｚ），０．８１−０．８７（ｍ，１Ｈ），０．８８（ｓ，３Ｈ），１．００（ｓ，３Ｈ），１．１８（ｄｔ，１Ｈ，Ｊ＝１２．７，５．０Ｈｚ），１．４０−１．４８（ｍ，１Ｈ），１．４９−１．６０（ｍ，３Ｈ），１．７６−１．８１（ｍ，１Ｈ），１．９０−２．００（ｍ，１Ｈ），３．７８（ｓ，３Ｈ），６．８２−６．８７（ｍ，２Ｈ），６．９５（ｂｒ，６Ｈ），７．３７−７．４４（ｍ，２Ｈ）．【０２１５】
［実施例２６］（１Ｒ，６Ｓ）−Ｎ−（４−メトキシベンジル）−２，２，６−トリメチルシクロヘキサン−１−カルボキサミド（例示化合物（１Ｒ，６Ｓ）−１０−３６）の合成【０２１６】
【化４９】
2019078185.tif 000051
【０２１７】
窒素雰囲気下にて１００ｍＬ四つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、塩化チオニル（０．４７ｍＬ、１．１０ｅｑ．）、トルエン（１０ｍＬ）及びＤＭＦ（ジメチルホルムアミド）数滴を添加し、室温にて１時間撹拌させた。系内に４−メトキシベンジルアミン（２．２８ｍＬ、３．０ｅｑ．）にトルエン（５ｍＬ）を加えて調製した溶液をゆっくりと加えた。９０℃にて５時間後に反応溶液を分液漏斗に移し、希塩酸と酢酸エチルを添加して洗浄した。油層を希塩酸で１回洗浄し、更に飽和食塩水で一回洗浄して、無水硫酸マグネシウムにて乾燥した。得られた溶液を減圧濃縮し、ヘプタン／酢酸エチルにて再結晶を行い、標記化合物（１．１３ｇ、収率６６％）を白色結晶として得た。【０２１８】
融点：８５〜８７℃
ＨＲＭＳ：質量２８９．２０４２    実測値２８９．２０３１（［Ｍ］＋）
１Ｈ−ＮＭＲ（５００ＭＨｚ，ＣＤＣｌ３）：δ０．８４（ｄ，３Ｈ，Ｊ＝６．４Ｈｚ），０．８５−０．９２（ｍ，１Ｈ），０．９３（ｓ，３Ｈ），１．０４（ｓ，３Ｈ），１．１１（ｄｔ，１Ｈ，Ｊ＝１２．９，４．８Ｈｚ），１．３６−１．４２（ｍ，２Ｈ），１．４５−１．５９（ｍ，２Ｈ），１．７０−１．７８（ｍ，１Ｈ），１．８４−１．９５（ｍ，１Ｈ），３．８０（ｓ，３Ｈ），４．３４（ｄｄ，１Ｈ，Ｊ＝１４．３，５．２Ｈｚ），４．４４（ｄｄ，１Ｈ，Ｊ＝１４．４，４．８Ｈｚ），５．５５（ｂｒ，１Ｈ），６．８４−６．８８（ｍ，２Ｈ），７．１９−７．２３（ｍ，２Ｈ）．【０２１９】
［実施例２７］（１Ｒ，６Ｓ）−Ｎ−（ベンゾ［ｄ］［１，３］ジオキソール−５−イル）−２，２，６−トリメチルシクロヘキサン−１−カルボキサミド（例示化合物（１Ｒ，６Ｓ）−１０−３８）の合成【０２２０】
【化５０】
2019078185.tif 000052
【０２２１】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて１５分撹拌した後、３，４−メチレンジオキシアニリン（０．９７ｇ、１．２０ｅｑ．）を添加し、油浴にて５０℃で１時間反応させた。酢酸エチル（１５ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘキサン／酢酸エチルにて再結晶を行い、標記化合物（０．６３ｇ、収率３７％）を灰色固体として得た。【０２２２】
融点：１７１〜１７３℃
ＨＲＭＳ：質量２９０．１７５１    実測値２９０．１７５４（［Ｍ＋Ｈ］＋）
１Ｈ−ＮＭＲ（５００ＭＨｚ，ＣＤＣｌ３）：δ０．９１（ｄ，３Ｈ，Ｊ＝６．４Ｈｚ），０．９１−１．００（ｍ，１Ｈ），１．０２（ｓ，３Ｈ），１．０７（ｓ，３Ｈ），１．１８（ｄｔ，１Ｈ，Ｊ＝５．５，１２．８Ｈｚ），１．４０−１．４７（ｍ，１Ｈ），１．４９−１．５８（ｍ，２Ｈ），１．７４−１．８２（ｍ，１Ｈ），１．９１−２．００（ｍ，１Ｈ），５．９３（ｓ，２Ｈ），６．７２（ｄ，１Ｈ，Ｊ＝８．３Ｈｚ），６．７７（ｄｄ，１Ｈ，Ｊ＝２．１，８．３Ｈｚ），７．０２（ｂｒ，１Ｈ），７．２４（ｄ，１Ｈ，Ｊ＝２．１Ｈｚ）．【０２２３】
［実施例２８］（１Ｒ，６Ｓ）−Ｎ−（４−アセチルフェニル）−２，２，６−トリメチルシクロヘキサン−１−カルボキサミド（例示化合物（１Ｒ，６Ｓ）−１０−４１）の合成【０２２４】
【化５１】
2019078185.tif 000053
【０２２５】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて１５分撹拌した後、４’−アミノアセトフェノン（０．９７ｇ、１．２０ｅｑ．）を添加し、油浴にて５０℃で２時間反応させた。酢酸エチル（１５ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル）にて単離精製を行い、標記化合物（０．４５ｇ、収率２７％）を薄黄色固体として得た。【０２２６】
融点：１６６〜１６８℃
ＨＲＭＳ：質量２８８．１９５８    実測値２８８．１９５２（［Ｍ＋Ｈ］＋）
１Ｈ−ＮＭＲ（５００ＭＨｚ，ＣＤＣｌ３）：δ０．９１（ｄ，３Ｈ，Ｊ＝６．４Ｈｚ），０．９３−１．００（ｍ，１Ｈ），１．０４（ｓ，３Ｈ），１．０８（ｓ，３Ｈ），１．１９（ｄｔ，１Ｈ，Ｊ＝５．９，１３．０Ｈｚ），１．４０−１．５６（ｍ，３Ｈ），１．６１（ｄ，１Ｈ，Ｊ＝１１．２Ｈｚ），１．７５−１．８３（ｍ，１Ｈ），１．９３−２．０５（ｍ，１Ｈ），２．５７（ｓ，３Ｈ），７．４３（ｂｒ，１Ｈ），７．６２−７．６７（ｍ，２Ｈ），７．９１−７．９５（ｍ，２Ｈ）．【０２２７】
［実施例２９］（１Ｒ，６Ｓ）−Ｎ−（４−（２−ヒドロキシエチル）フェニル）−２，２，６−トリメチルシクロヘキサン−１−カルボキサミド（例示化合物（１Ｒ，６Ｓ）−１０−４２）の合成【０２２８】
【化５２】
2019078185.tif 000054
【０２２９】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて１５分撹拌した後、２−（４−アミノフェニル）エタノール（０．９７ｇ、１．２０ｅｑ．）を添加し、油浴にて６０℃で１時間反応させた。酢酸エチル（１０ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル）にて単離精製を行い、標記化合物（０．７３ｇ、収率４３％）を薄黄色固体として得た。【０２３０】
融点：９８〜１０３℃
ＨＲＭＳ：質量２９０．２１１５    実測値２９０．２１１１（［Ｍ＋Ｈ］＋）
１Ｈ−ＮＭＲ（５００ＭＨｚ，ＣＤＣｌ３）：δ０．９１（ｄ，３Ｈ，Ｊ＝６．４Ｈｚ），０．９３−１．００（ｍ，１Ｈ），１．０３（ｓ，３Ｈ），１．０７（ｓ，３Ｈ），１．１９（ｄｔ，１Ｈ，Ｊ＝５．４，１３．１Ｈｚ），１．４２−１．４７（ｍ，１Ｈ），１．４９−１．５６（ｍ，２Ｈ），１．５８（ｄ，１Ｈ，Ｊ＝１１．０Ｈｚ），１．６７（ｂｒ，１Ｈ），１．７５−１．８３（ｍ，１Ｈ），１．９１−２．０２（ｍ，１Ｈ），２．８０−２．８４（ｍ，２Ｈ），３．７８−３．８６（ｍ，２Ｈ），７．１４−７．２３（ｍ，３Ｈ），７．４２−７．４７（ｍ，２Ｈ）．【０２３１】
［実施例３０］メチル  ４−（（１Ｒ，６Ｓ）−２，２，６−トリメチルシクロヘキサン−１−カルボキサミド）ベンゾエート（例示化合物（１Ｒ，６Ｓ）−１０−４３）の合成【０２３２】
【化５３】
2019078185.tif 000055
【０２３３】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて１５分撹拌した後、４−アミノ安息香酸メチル（１．０７ｇ、１．２０ｅｑ．）を添加し、油浴にて５０℃で１時間半反応させた。酢酸エチル（１５ｍＬ）で反応溶液を希釈した後、後処理として水（５ｍＬ）及び飽和塩化アンモニウム水溶液（１０ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル）にて単離精製を行い、標記化合物（０．９４ｇ、収率５３％）を薄黄色固体として得た。【０２３４】
融点：９４〜９７℃
ＨＲＭＳ：質量３０４．１９０７    実測値３０４．１９１４（［Ｍ＋Ｈ］＋）
１Ｈ−ＮＭＲ（５００ＭＨｚ，ＣＤＣｌ３）：δ０．９１（ｄ，３Ｈ，Ｊ＝６．４Ｈｚ），０．９２−１．０１（ｍ，１Ｈ），１．０３（ｓ，３Ｈ），１．０７（ｓ，３Ｈ），１．１４−１．２４（ｍ，１Ｈ），１．４２−１．４９（ｍ，２Ｈ），１．５２−１．５９（ｍ，２Ｈ），１．６１（ｄ，１Ｈ，Ｊ＝１１．１Ｈｚ），１．７５−１．８３（ｍ，１Ｈ），１．９４−２．０２（ｍ，１Ｈ），３．８９（ｓ，３Ｈ），７．３２（ｂｒ，１Ｈ），７．５７−７．６４（ｍ，２Ｈ），７．９６−８．０２（ｍ，２Ｈ）．【０２３５】
［実施例３１］（１Ｒ，６Ｓ）−２，２，６−トリメチル−Ｎ−（４−（メチルチオ）フェニル）シクロヘキサン−１−カルボキサミド（例示化合物（１Ｒ，６Ｓ）−１０−４５）の合成【０２３６】
【化５４】
2019078185.tif 000056
【０２３７】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて１５分撹拌した後、４−（メチルチオ）アニリン（０．８６ｍＬ、１．２０ｅｑ．）を添加し、油浴にて５０℃で２時間反応させた。酢酸エチル（２０ｍＬ）で反応溶液を希釈した後、後処理として２Ｎ塩酸（１５ｍＬ）をゆっくりと添加した。油層を飽和重曹水（１５ｍＬ）で２回洗浄し、更に飽和食塩水（１０ｍＬ）で１回洗浄して、硫酸ナトリウムにて乾燥した。得られた溶液を減圧濃縮し、ヘキサン／酢酸エチルにて再結晶を行い、標記化合物（０．６７ｇ、収率３９％）を薄黄色結晶として得た。【０２３８】
融点：１５７〜１５９℃
ＨＲＭＳ：質量２９２．１７３０    実測値２９２．１７３４（［Ｍ＋Ｈ］＋）
１Ｈ−ＮＭＲ（５００ＭＨｚ，ＣＤＣｌ３）：δ０．９１（ｄ，３Ｈ，Ｊ＝６．４Ｈｚ），０．９２−１．００（ｍ，１Ｈ），１．０２（ｓ，３Ｈ），１．０７（ｓ，３Ｈ），１．１８（ｄｔ，１Ｈ，Ｊ＝５．７，１３．０Ｈｚ），１．４２−１．４７（ｍ，１Ｈ），１．５０−１．５９（ｍ，３Ｈ），１．７４−１．８２（ｍ，１Ｈ），１．９２−２．００（ｍ，１Ｈ），２．４６（ｓ，３Ｈ），７．０９（ｂｒ，１Ｈ），７．２４（ｄｔ，２Ｈ，Ｊ＝２．７，８．７Ｈｚ），７．４６（ｄｔ，２Ｈ，Ｊ＝２．１，８．７Ｈｚ）．【０２３９】
［実施例３２］（１Ｒ，６Ｓ）−Ｎ−（４−（シアノメチル）フェニル）−２，２，６−トリメチルシクロヘキサン−１−カルボキサミド（例示化合物（１Ｒ，６Ｓ）−１０−４９）の合成【０２４０】
【化５５】
2019078185.tif 000057
【０２４１】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）をゆっくりと滴下した。室温にて２０分撹拌した後、４−アミノベンジルシアニド（０．９３ｇ、１．２０ｅｑ．）を添加し、油浴にて４０℃で３時間反応させた。酢酸エチル（１０ｍＬ）で反応溶液を希釈した後、後処理として２Ｎ塩酸（１５ｍＬ）をゆっくりと添加した。油層を１Ｎ塩酸（２０ｍＬ）で１回、飽和重曹水（１５ｍＬ）で２回、飽和食塩水（１０ｍＬ）で１回洗浄し、硫酸ナトリウムにて乾燥した。得られた溶液を減圧濃縮し、ヘキサン／酢酸エチルにて再結晶を行い、標記化合物（０．６６ｇ、収率４０％）を白色固体として得た。【０２４２】
融点：１９０〜１９３℃
ＨＲＭＳ：質量２８４．１８４８    実測値２８４．１８３８（［Ｍ］＋）
１Ｈ−ＮＭＲ（５００ＭＨｚ，ＣＤＣｌ３）：δ０．９１（ｄ，３Ｈ，Ｊ＝６．４Ｈｚ），０．９３−１．００（ｍ，１Ｈ），１．０４（ｓ，３Ｈ），１．０７（ｓ，３Ｈ），１．１９（ｄｔ，１Ｈ，Ｊ＝５．１，１２．８Ｈｚ），１．４１−１．４７（ｍ，３Ｈ），１．５１−１．６１（ｍ，３Ｈ），１．７６−１．８３（ｍ，１Ｈ），１．９２−２．０１（ｍ，１Ｈ），３．７１（ｓ，２Ｈ），７．２９（ｂｒ，１Ｈ），７．２５−７．２８（ｍ，２Ｈ），７．５２−７．５８（ｍ，２Ｈ）．【０２４３】
［実施例３３］（１Ｒ，６Ｓ）−２，２，６−トリメチル−Ｎ−（ピリジン−４−イル）シクロヘキサン−１−カルボキサミド（例示化合物（１Ｒ，６Ｓ）−１０−５１）の合成      【０２４４】
【化５６】
2019078185.tif 000058
【０２４５】
窒素雰囲気下にて５０ｍＬ二つ口フラスコに特許文献２９に記載の手法に従って得られた（１Ｒ，６Ｓ）−２，２，６−トリメチルシクロヘキサンカルボン酸（（１Ｒ，６Ｓ）−５）（１．００ｇ、５．８７ｍｍｏｌ）、トリエチルアミン（１．９５ｍＬ、２．４０ｅｑ．）及びアセトニトリル（１０ｍＬ）を添加した。系内を氷浴にて０〜５℃に冷却し、メタンスルホニルクロリド（０．５５ｍＬ、１．２０ｅｑ．）を滴下した。室温にて２０分撹拌した後、４−アミノピリジン（０．６７ｇ、１．２０ｅｑ．）を添加し、室温にて１時間反応させた。酢酸エチル（２０ｍＬ）で反応溶液を希釈した後、後処理として飽和塩化アンモニウム水溶液（１５ｍＬ）をゆっくりと添加した。油層を飽和塩化アンモニウム水溶液（１５ｍＬ）で１回、飽和重曹水（１５ｍＬ）で２回洗浄し、更に飽和食塩水（１０ｍＬ）で１回洗浄して、硫酸ナトリウムにて乾燥した。得られた溶液を減圧濃縮し、シリカゲルカラムクロマトグラフィー（ヘキサン／酢酸エチル）にて単離精製を行い、標記化合物（０．４５ｇ、収率３２％）を白色固体として得た。【０２４６】
融点：６４〜６８℃
ＨＲＭＳ：質量２４７．１８０５    実測値２４７．１８０７（［Ｍ＋Ｈ］＋）
１Ｈ−ＮＭＲ（５００ＭＨｚ，ＣＤＣｌ３）：δ０．８７（ｄ，３Ｈ，Ｊ＝６．４Ｈｚ），０．８３−０．９０（ｍ，１Ｈ），１．００（ｓ，３Ｈ），１．０５（ｓ，３Ｈ），１．１１（ｄｔ，１Ｈ，Ｊ＝５．５，１２．９Ｈｚ），１．３６−１．４３（ｍ，１Ｈ），１．４５−１．５４（ｍ，２Ｈ），１．７２（ｄ，１Ｈ，Ｊ＝１１．１Ｈｚ），１．６８−１．７８（ｍ，１Ｈ），１．８８−２．００（ｍ，１Ｈ），７．５２−７．５８（ｍ，２Ｈ），８．３９−８．４４（ｍ，２Ｈ），８．７０（ｂｒ，１Ｈ）．【０２４７】
［実施例３４］２−ヒドロキシ−２−フェニルエチル（１Ｒ，６Ｓ）−２，２，６−トリメチルシクロヘキサン−１−カルボキシレート（例示化合物（１Ｒ，６Ｓ）−１３−４）の合成【０２４８】
【化５７】
2019078185.tif 000059
【０２４９】
窒素雰囲気下にて２００ｍＬ二つ口フラスコにフェネチルジオール（８．２９ｇ、１．２０ｅｑ．）を取り、トルエン（１００ｍＬ）を加えて室温で撹拌し、ピリジン（５．２ｍＬ、１．３０ｅｑ．）及びＮ，Ｎ−ジメチルアミノピリジン（０．３１ｇ、０．０５ｅｑ．）を添加した。更に特許文献２９に記載の手法に従って得られた（１Ｒ，６Ｓ）−２，２，６−トリメチルシクロヘキサンカルボン酸（（１Ｒ，６Ｓ）−５）（８．５１ｇ、５０．０ｍｍｏｌ）、Ｎ，Ｎ−ジメチルホルムアミド（２０ｍｇ）をトルエン（５０ｍＬ）中で混和した溶液に、塩化チオニル（３．９７ｍＬ、１．１０ｅｑ．）を滴下した。更に１００℃にて３時間反応させ、反応の完結を確認した。室温まで冷却しトルエンで反応溶液を希釈した後、後処理として２Ｎ塩酸をゆっくりと添加した。油層を飽和重曹水で２回洗浄し、更に飽和食塩水で１回洗浄して、硫酸ナトリウムにて乾燥した。得られた溶液を減圧濃縮し、シリカゲルカラムクロマトグラフィーにて精製を行い、標記化合物（６．３９ｇ、収率４４％）を強粘性のオイルとして得た。【０２５０】
ＨＲＭＳ：質量２９０．４０３０    実測値２９０．４０１１（［Ｍ＋Ｈ］＋）
１Ｈ−ＮＭＲ（５００ＭＨｚ，ＣＤＣｌ３）：δ７．４２−７．２８（ｍ，５Ｈ），４．９６（ｂｒｄ，Ｊ−８Ｈｚ，１Ｈ），４．３１（ｄｄｄ，Ｊ＝３．６，９．２，１２．０Ｈｚ，１Ｈ），４．１９（ｄｄｄ，Ｊ＝８．０，１０．４，１１．６Ｈｚ，１Ｈ），２．５７（ｂｒｓ，１Ｈ），１．８９−１．８２（ｍ，２Ｈ），１．７３（ｄｄｄ，Ｊ＝１．２，３．２，１４．０Ｈｚ，１Ｈ），１．５１（ｔｔ，Ｊ＝３．２，１０．０Ｈｚ，２Ｈ），１．４１（ｄｔｄ，Ｊ＝１．２，３．２，１３．２Ｈｚ，１Ｈ），１．２０−１．１３（ｍ，１Ｈ），０．９６（ｄ，Ｊ＝２．４Ｈｚ，３Ｈ），０．９３（ｓ，３Ｈ），０．８８（ｄｄｄ，Ｊ＝３．４，６．８，１６．０Ｈｚ，１Ｈ），０．８１（ｄｄ，Ｊ＝１．８，５．８Ｈｚ，３Ｈ）．【０２５１】
１３Ｃ−ＮＭＲ（１２５ＭＨｚ，ＣＤＣｌ３）：δ１７４．８３，１３９．８７，１２８．５１×２，１２８．１２，１２６．１３×２，７２．５３，６８．７８，６８．７１，６０．７８，４１．０９，３４．４２，３３．３３，３１．２８，３１．２７，３０．２０，３０．１７，２１．６８，２１．５６，２１．１２，２１．０６，２０．８６，２０．８４．【０２５２】
［実施例３５］（Ｒ）−２−ヒドロキシ−２−フェニルエチル（１Ｒ，６Ｓ）−２，２，６−トリメチルシクロヘキサン−１−カルボキシレート（例示化合物（１Ｒ，６Ｓ）−１３−４−（Ｒ））及び（Ｓ）−２−ヒドロキシ−２−フェニルエチル（１Ｒ，６Ｓ）−２，２，６−トリメチルシクロヘキサン−１−カルボキシレート（例示化合物（１Ｒ，６Ｓ）−１３−４−（Ｓ））の合成【０２５３】
【化５８】
2019078185.tif 000060
【０２５４】
【化５９】
2019078185.tif 000061
【０２５５】
実施例３４と同様の手法で（１Ｒ，６Ｓ）−２，２，６−トリメチルシクロヘキサンカルボン酸（（１Ｒ，６Ｓ）−５）（３．４１ｇ、２０．０ｍｍｏｌ）と（Ｒ）−フェニルエタン−１，２−ジオール（２．９０ｇ、１．０５ｅｑ．）から例示化合物（１Ｒ，６Ｓ）−１３−４−（Ｒ）（２．４７ｇ、収率４３％）を強粘性のオイルとして得た。【０２５６】
また、実施例３４と同様の手法で（１Ｒ，６Ｓ）−２，２，６−トリメチルシクロヘキサンカルボン酸（（１Ｒ，６Ｓ）−５）（３．４１ｇ、２０．０ｍｍｏｌ）と（Ｓ）−フェニルエタン−１，２−ジオール（２．９０ｇ、１．０５ｅｑ．）から例示化合物（１Ｒ，６Ｓ）−１３−４−（Ｓ）（２．４６ｇ、収率４２％）を強粘性のオイルとして得た。【０２５７】
例示化合物（１Ｒ，６Ｓ）−１３−４−（Ｒ）
ＨＲＭＳ：質量２９０．４０３０    実測値２９０．４０７３（［Ｍ＋Ｈ］＋）
１Ｈ−ＮＭＲ（５００ＭＨｚ，ＣＤＣｌ３）：δ７．４０−７．２８（ｍ，５Ｈ），４．３２（ｄｄｄ，Ｊ＝３．６，９．２，１２．０Ｈｚ，１Ｈ），４．１７（ｄｄｄ，Ｊ＝８．０，１０．４，１１．６Ｈｚ，１Ｈ），２．５７（ｂｒｓ，１Ｈ），１．８９−１．８２（ｍ，２Ｈ），１．７２（ｄｄｄ，Ｊ＝１．２，３．２，１４．０Ｈｚ，１Ｈ），１．５１（ｔｔ，Ｊ＝３．２，１０．０Ｈｚ，２Ｈ），１．４１（ｄｔｄ，Ｊ＝１．２，３．２，１３．２Ｈｚ，１Ｈ），１．２０−１．１３（ｍ，１Ｈ），０．９６（ｄ，Ｊ＝２．４Ｈｚ，３Ｈ），０．９３（ｓ，３Ｈ），０．８８（ｄｄｄ，Ｊ＝３．４，６．８，１６．０Ｈｚ，１Ｈ），０．８１（ｄｄ，Ｊ＝１．８，５．８Ｈｚ，３Ｈ）．【０２５８】
１３Ｃ−ＮＭＲ（１２５ＭＨｚ，ＣＤＣｌ３）：δ１７４．８１，１３９．８４，１２８．５３×２，１２８．１２，１２６．１３×２，７２．５７，６８．８１，６０．８１，４１．１１，３４．４４，３３．３５，３１．３０，３０．２１，２１．６１，２１．０８，２０．８６．【０２５９】
例示化合物（１Ｒ，６Ｓ）−１３−４−（Ｓ）
ＨＲＭＳ：質量２９０．４０３０    実測値２９０．４０５８（［Ｍ＋Ｈ］＋）
１Ｈ−ＮＭＲ（５００ＭＨｚ，ＣＤＣｌ３）：δ７．４０−７．２８（ｍ，５Ｈ），４．９６（ｂｒｄ，Ｊ−８Ｈｚ，１Ｈ），４．３０（ｄｄｄ，Ｊ＝３．６，９．２，１２．０Ｈｚ，１Ｈ），４．１９（ｄｄｄ，Ｊ＝８．０，１０．４，１１．６Ｈｚ，１Ｈ），２．５７（ｂｒｓ，１Ｈ），１．８９−１．８２（ｍ，２Ｈ），１．７３（ｄｄｄ，Ｊ＝１．２，３．２，１４．０Ｈｚ，１Ｈ），１．５１（ｔｔ，Ｊ＝３．２，１０．０Ｈｚ，２Ｈ），１．４１（ｄｔｄ，Ｊ＝１．２，３．２，１３．２Ｈｚ，１Ｈ），１．２０−１．１３（ｍ，１Ｈ），０．９６（ｄ，Ｊ＝２．４Ｈｚ，３Ｈ），０．９３（ｓ，３Ｈ），０．８８（ｄｄｄ，Ｊ＝３．４，６．８，１６．０Ｈｚ，１Ｈ），０．８１（ｄｄ，Ｊ＝１．８，５．８Ｈｚ，３Ｈ）．【０２６０】
１３Ｃ−ＮＭＲ（１２５ＭＨｚ，ＣＤＣｌ３）：δ１７４．７４，１３９．８７，１２８．５３×２，１２８．１２，１２６．１５×２，７２．５５，６８．７３，６０．８０，４１．１１，３４．４３，３３．３５，３１．２８，３０．１９，２１．６０，２１．１２，２０．８７．【０２６１】
［合成例１］４−メトキシ−Ｎ−フェネチルアニリン（下記構造式で表される２級アミン）の合成【０２６２】
【化６０】
2019078185.tif 000062
【０２６３】
窒素雰囲気下にて、ビスパラジウムジベンジリデンアセトン（７１ｍｇ、１ｍｏｌ％）、ジシクロヘキシル（１，１−ジフェニル−１−プロペン−２−イル）ホスフィン配位子（９７ｍｇ、４ｍｏｌ％）及びトルエン（２０ｍＬ）を添加し、室温にて１時間撹拌した。続いて、フェネチルアミン（１．００ｇ、７．８０ｍｍｏｌ）、ブロモアニソール（０．９７ｍｌ、１．０ｅｑ．）、ナトリウム−ｔｅｒｔ−ブトキシド（０．９０ｇ、１．２ｅｑ．）を添加して１００℃にて５時間加熱撹拌を行った。反応溶液を室温まで冷却後、酢酸エチル／水で抽出・洗浄した。油層を無水硫酸マグネシウムにて乾燥し、濾過濃縮して得られた残渣をシリカゲルカラムクロマトグラフィーにて単離精製し、標記化合物（１．０５ｇ、収率５９％）を薄黄色オイルとして得た。【０２６４】
１Ｈ−ＮＭＲ（５００ＭＨｚ，ＣＤＣｌ３）：δ２．９０（ｔ，２Ｈ，Ｊ＝７．０Ｈｚ）
，３．３６（ｔ，２Ｈ，Ｊ＝７．１Ｈｚ），３．７５（ｓ，３Ｈ），６．５７−６，６１（ｍ，２Ｈ），６．７５−６．８０（ｍ，２Ｈ），７．２０−７．３７（ｍ，６Ｈ）．【０２６５】
［実施例３６］冷感強度評価（ＴＲＰＭ８活性評価）
一般的に、メントール等の冷感効果を有する化合物は、冷刺激受容体であるＴＲＰＭ８（メラスタチン一過性受容体電位チャンネル８）を活性化することで、冷感を誘発することが知られている（例えば、非特許文献３参照）。そこで、冷感強度を評価するため、以下の手順に従い、実施例で得られた各化合物及び比較化合物（特許文献２９に記載の方法に従って合成したＮ，２，２，６−テトラメチルシクロヘキサンカルボキサミド、並びに、ｌ−メントール、ＷＳ−３、ＷＳ−５及びＷＳ−２３）のＴＲＰＭ８活性化作用におけるＥＣ５０値を測定した。
なお、ＷＳ−３、ＷＳ−５及びＷＳ−２３は以下の表６に示される化合物である。【０２６６】
（１）ヒトＴＲＰＭ８安定発現細胞株の作製
全長ヒトＴＲＰＭ８遺伝子は、プラスミドＲＣ２２０６１５（オリジーン社製）よりＰＣＲ法を用いて増幅した。得られたＰＣＲ産物をｐｃＤＮＡ５／ＦＲＴ／ＴＯ（サーモフィッシャーサイエンティフィック社製）へサブクローニングした後、Ｆｌｐ−ＩｎＴ−ＲＥｘシステム（サーモフィッシャーサイエンティフィック社製）を用いてＦｌｐ−Ｉｎ２９３２９３細胞（サーモフィッシャーサイエンティフィック社製）に導入し、ヒトＴＲＰＭ８安定発現細胞株を作製した。【０２６７】
（２）ヒトＴＲＰＭ８活性の評価
培養したヒトＴＲＰＭ８安定発現細胞を、ポリ−Ｄ−リジンコートされた９６ウェルマイクロプレート（コーニング社製）に対して５０，０００細胞／ウェルの割合で播種し、１μｇ／ｍＬドキシサイクリン（タカラバイオ社製）を添加した後、３７℃で一晩培養することでヒトＴＲＰＭ８の発現誘導を行った。【０２６８】
培養液を緩衝液に置換した後、蛍光カルシウム指示薬（Ｆｌｕｏ４−ＡＭ：同人化学研究所製）を添加し、３７℃で３０分間インキュベートして蛍光マイクロプレートリーダー（ＦｌｅｘＳｔａｔｉｏｎ３：モレキュラーデバイス社製）に移した。終濃度０．１μＭから１０００μＭの範囲で実施例で得られた各化合物及び比較化合物を添加し、装置内温度３２℃において波長４８５ｎｍで励起した際の波長５２５ｎｍの蛍光の変化を測定し、ＥＣ５０値を算出した。
実施例で得られた各化合物及び比較化合物のＴＲＰＭ８活性化作用におけるＥＣ５０値は以下の表１〜表６に示すとおりであった。【０２６９】
【表１】
2019078185.tif 000063
【０２７０】
【表２】
2019078185.tif 000064
【０２７１】
【表３】
2019078185.tif 000065
【０２７２】
【表４】
2019078185.tif 000066
【０２７３】
【表５】
2019078185.tif 000067
【０２７４】
【表６】
2019078185.tif 000068
【０２７５】
上記表１〜表５に示すように、実施例で得られた各化合物は、表６に示すＮ，２，２，６−テトラメチルシクロヘキサンカルボキサミドよりも非常に優れたＴＲＰＭ８活性化作用を有する。従って、これら実施例で得られた化合物は、Ｎ，２，２，６−テトラメチルシクロヘキサンカルボキサミドよりも非常に強い冷感効果を有する。【０２７６】
さらに、上記表１〜表５に示すように、実施例で得られた各化合物は、表６に示すｌ−メントール、ＷＳ−３、ＷＳ−５及びＷＳ−２３といった既存の冷感剤と比較しても、同等以上の強力な冷感効果を示す。【０２７７】
［実施例３７］
例示化合物（（１Ｒ，６Ｓ）−１０−１）の３０ｐｐｍ水溶液及び比較化合物（Ｎ，２，２，６−テトラメチルシクロヘキサンカルボキサミド、ｌ−メントール、ＷＳ−３、ＷＳ−５）の３０ｐｐｍ水溶液を調製し、当該水溶液を用いて評価を行った。
評価はフレーバリスト４人により行った。前記水溶液をそれぞれ口に含み、うがいをした後吐き出し、口腔内における冷感強度、冷感持続性、冷感の質について評価した。【０２７８】
例示化合物（（１Ｒ，６Ｓ）−１０−１）は、冷感強度は大変強く、明らかに比較化合物Ｎ，２，２，６−テトラメチルシクロヘキサンカルボキサミド、ｌ−メントール、ＷＳ−３より強かった。また、その冷感は３０分以上続いた。
例示化合物（（１Ｒ，６Ｓ）−１０−１）は、ＷＳ−５と比較して、冷感強度は強く、その冷感は３０分以上続いた。
冷感の質については、例示化合物（（１Ｒ，６Ｓ）−１０−１）は、ＷＳ−５と比較して、ほぼ同程度のピリピリ感を有した。【０２７９】
［実施例３８］歯磨き粉賦香評価
下記の配合に従い、歯磨き粉（Ａ）〜（Ｃ）を調製した。
（Ａ）歯磨き粉基剤９９０．０ｇ＋ツースペーストフレーバーＢＡＳＥ４．０ｇ＋ｌ−メントール３．０ｇ＋エチルアルコール（ＥｔＯＨ）３．０ｇ
（Ｂ）歯磨き粉基剤９９０．０ｇ＋ツースペーストフレーバーＢＡＳＥ４．０ｇ＋ｌ−メントール３．０ｇ＋比較化合物（ＷＳ−５）（１質量％  ｉｎ  ＥｔＯＨ）３．０ｇ
（Ｃ）歯磨き粉基剤９９０．０ｇ＋ツースペーストフレーバーＢＡＳＥ４．０ｇ＋ｌ−メントール３．０ｇ＋例示化合物（（１Ｒ，６Ｓ）−１０−１）（１質量％  ｉｎ  ＥｔＯＨ）３．０ｇ【０２８０】
【化６１】
2019078185.tif 000069
【０２８１】
なお、ツースペーストフレーバーＢＡＳＥの処方は以下のとおりである。【０２８２】
【表７】
2019078185.tif 000070
【０２８３】
また、歯磨き粉基剤の処方は以下のとおりである。【０２８４】
【表８】
2019078185.tif 000071
【０２８５】
［評価］
評価はフレーバリスト３人により行った。上記フレーバリスト３人は、歯ブラシに各歯磨き粉約１ｇをとり、通常歯を磨く方法で約５分間歯を磨いた。上記フレーバリスト３人は、歯磨き後にうがいをし、口腔内における冷感の強度、持続性、質等について評価した。【０２８６】
上記フレーバリスト３人による評価によると、歯磨き粉（Ｂ）及び歯磨き粉（Ｃ）には歯磨き粉（Ａ）よりも強い冷感効果があり、歯磨き粉（Ｃ）には歯磨き粉（Ｂ）と同等以上の冷感効果があった。
また、歯磨き粉（Ｃ）では歯磨き粉（Ｂ）と比較して、ツースペーストフレーバーＢＡＳＥの香味プロファイルの発現は同等で、且つ冷感感覚以外の刺激もほとんど感じられなかった。歯磨き粉（Ｂ）及び歯磨き粉（Ｃ）では共に３０分以上の冷感が感じられた。【０２８７】
［実施例３９］洗口液賦香評価
下記の配合に従い、洗口液（Ｄ）〜（Ｆ）を調製した。
（Ｄ）洗口液基剤９９９．０ｇ＋マウスウォッシュフレーバーＢＡＳＥ０．３５ｇ＋ｌ−メントール０．３５ｇ＋エチルアルコール（ＥｔＯＨ）０．３ｇ
（Ｅ）洗口液基剤９９９．０ｇ＋マウスウォッシュフレーバーＢＡＳＥ０．３５ｇ＋ｌ−メントール０．３５ｇ＋比較化合物（ＷＳ−５）（１０質量％  ｉｎ  ＥｔＯＨ）０．３ｇ
（Ｆ）洗口液基剤９９９．０ｇ＋マウスウォッシュフレーバーＢＡＳＥ０．３５ｇ＋ｌ−メントール０．３５ｇ＋例示化合物（（１Ｒ，６Ｓ）−１０−１）（１０質量％  ｉｎ  ＥｔＯＨ）０．３ｇ【０２８８】
【化６２】
2019078185.tif 000072
【０２８９】
なお、マウスウォッシュフレーバーＢＡＳＥの処方は以下のとおりである。【０２９０】
【表９】
2019078185.tif 000073
【０２９１】
また、洗口液基剤の処方は以下のとおりである。【０２９２】
【表１０】
2019078185.tif 000074
【０２９３】
［評価］
評価はフレーバリスト３人により行った。上記フレーバリスト３人は、各洗口液２０ｍＬを口に含み、うがいをした後吐き出し、口腔内における冷感の強度、持続性、質等について評価した。【０２９４】
上記フレーバリスト３人による評価によると、洗口液（Ｅ）及び洗口液（Ｆ）には洗口液（Ｄ）よりも強い冷感効果があり、洗口液（Ｆ）には洗口液（Ｅ）と同等以上の冷感効果があった。
また、洗口液（Ｆ）では洗口液（Ｅ）に比べるとマウスウォッシュフレーバーＢＡＳＥのミントの香味プロファイルの発現は同等で、且つ冷感感覚以外の刺激もほとんど感じられなかった。洗口液（Ｅ）及び洗口液（Ｆ）では共に３０分以上の冷感が感じられた。【０２９５】
［実施例４０］チューイングガム賦香評価
下記の配合に従い、チューイングガム（Ｇ）〜（Ｉ）を調製した。
（Ｇ）チューイングガム基剤９９０．０ｇ＋ペパーミントフレーバーＢＡＳＥ６．３ｇ＋ｌ−メントール０．７ｇ＋エチルアルコール（ＥｔＯＨ）３．０ｇ
（Ｈ）チューイングガム基剤９９０．０ｇ＋ペパーミントフレーバーＢＡＳＥ６．３ｇ＋ｌ−メントール  ０．７ｇ＋比較化合物（ＷＳ−５）（１質量％  ｉｎ  ＥｔＯＨ）３．０ｇ
（Ｉ）チューイングガム基剤９９０．０ｇ＋ペパーミントフレーバーＢＡＳＥ６．３ｇ＋ｌ−メントール０．７ｇ＋例示化合物（（１Ｒ，６Ｓ）−１０−１）（１質量％  ｉｎ  ＥｔＯＨ）３．０ｇ【０２９６】
【化６３】
2019078185.tif 000075
【０２９７】
なお、ペパーミントフレーバーＢＡＳＥの処方は以下のとおりである。【０２９８】
【表１１】
2019078185.tif 000076
【０２９９】
また、チューイングガム基剤の処方は以下のとおりである。【０３００】
【表１２】
2019078185.tif 000077
【０３０１】
［評価］
評価はフレーバリスト３人により行った。上記フレーバリスト３人は、各チューイングガム１ｇを口に含み、５分程度噛み吐き出した。上記フレーバリスト３人は、吐き出した後の口腔内における冷感の強度、持続性、質等について評価した。【０３０２】
上記フレーバリスト３人による評価によると、チューイングガム（Ｈ）及びチューイングガム（Ｉ）にはチューイングガム（Ｇ）よりも強い冷感効果があり、チューイングガム（Ｉ）にはチューイングガム（Ｈ）と同等以上の冷感効果があった。
また、チューイングガム（Ｉ）を噛んだ場合は噛み始めからややシャープな冷感が発現し、鼻抜けの良い冷感が口腔内に広がり、雑味、他の刺激は感じられなかった。さらに、チューイングガム（Ｉ）吐き出し後も３０分以上の冷感が感じられた。【０３０３】
［実施例４１］キャンディー賦香評価
下記の配合のキャンディー（Ｊ）〜（Ｌ）を、下記製法に従って調製した。
（Ｊ）キャンディー基剤９９８．０ｇ＋ハーブフレーバーＢＡＳＥ０．９ｇ＋ｌ−メントール０．８ｇ＋エチルアルコール（ＥｔＯＨ）０．３ｇ
（Ｋ）キャンディー基剤９９８．０ｇ＋ハーブフレーバーＢＡＳＥ０．９ｇ＋ｌ−メントール０．８ｇ＋比較化合物（ＷＳ−５）（１０質量％  ｉｎ  ＥｔＯＨ）０．３ｇ
（Ｌ）キャンディー基剤９９８．０ｇ＋ハーブフレーバーＢＡＳＥ０．９ｇ＋ｌ−メントール０．８ｇ＋例示化合物（（１Ｒ，６Ｓ）−１０−１）（１０質量％  ｉｎ  ＥｔＯＨ）０．３ｇ【０３０４】
【化６４】
2019078185.tif 000078
【０３０５】
なお、ハーブフレーバーＢＡＳＥの処方は以下のとおりである。【０３０６】
【表１３】
2019078185.tif 000079
【０３０７】
また、キャンディー基剤の処方は以下のとおりである。【０３０８】
【表１４】
2019078185.tif 000080
【０３０９】
［キャンディーの製法］
上記処方のキャンディー基剤１１００．０ｇのうち９９８．０ｇを１５０℃まで火詰めした。その後、火を止め、生地を計量し、上記（Ｊ）〜（Ｌ）に示すキャンディー基剤以外の材料をそれぞれ混合し、１３５〜１４０℃に保ちながらモールドに流し、成型した。冷却後、モールドから外し、１粒約３ｇのキャンディー（Ｊ）〜（Ｌ）を作製した。【０３１０】
［評価］
評価はフレーバリスト３人により行った。上記フレーバリスト３人は、キャンディー１粒を口に含み、舐め溶かし、キャンディーが完全に無くなった後の口腔内における冷感の強度、持続性、質等について評価した。【０３１１】
上記フレーバリスト３人による評価によると、キャンディー（Ｋ）及びキャンディー（Ｌ）にはキャンディー（Ｊ）よりも冷感効果があり、キャンディー（Ｌ）にはキャンディー（Ｋ）と同等以上の冷感効果があった。
また、キャンディー（Ｌ）を舐めた場合は舐め始めからシャープな清涼感が感じられ、しばらくすると喉奥を刺激する清涼感になり、雑味、他の刺激は感じられなかった。さらに、キャンディー（Ｌ）が完全になくなった後も３０分以上の冷感が感じられた。【０３１２】
本発明を詳細にまた特定の実施態様を参照して説明したが、本発明の精神と範囲を逸脱することなく様々な変更や修正を加えることができることは当業者にとって明らかである。本出願は２０１７年１０月１６日出願の日本特許出願（特願２０１７−２００５０４）に基づくものであり、その内容はここに参照として取り込まれる。
【国際調査報告】
2019078185.tif 000085
2019078185.tif 000086
2019078185.tif 000087
2019078185.tif 000088
2019078185.tif 000089
2019078185.tif 000090